(57)【要約】【課題】円滑で実用的な楽曲投稿サービスを実現する通信カラオケシステムを提供する。【解決手段】投稿楽曲データベース１４０に蓄積された楽曲データのうち、所定値以上のポイントの消費が受け付けられた楽曲データをカラオケ演奏可能に配信する楽曲配信管理手段１５４と、所定値以上の前記ポイントの消費が受け付けられていない楽曲データに関して、その楽曲データに関連する楽曲データをお気に入り曲に含む利用者及び選曲履歴に含む利用者の少なくとも一方を抽出する利用者抽出手段１５６と、抽出された利用者に対して、所定値以上の前記ポイントの消費が受け付けられていない楽曲データを、その利用者に対応してＳＮＳデータベース１３８に蓄積されたポイントを消費する対象として通知する未配信曲通知制御手段１５８とを、備えたものであることから、各利用者が関心を持つ可能性が高い楽曲データを、ポイント消費の対象として斯かる利用者に通知できる。【選択図】図９
2015069155.tif 000002
【特許請求の範囲】
【請求項１】
楽曲データに基づいてカラオケ演奏を行うカラオケ装置と、前記カラオケ装置との間で通信回線を介して情報の通信を行うサーバ装置とを、備えた通信カラオケシステムであって、
利用者から投稿された楽曲データを蓄積する投稿楽曲データベースと、
各利用者に対応してお気に入り曲及び選曲履歴の少なくとも一方を記憶する利用者データベースと、
前記投稿楽曲データベースに蓄積された楽曲データのうち、所定条件を満たす楽曲データを、前記カラオケ装置に対してカラオケ演奏可能に配信する楽曲配信管理手段と、
前記投稿楽曲データベースに蓄積された楽曲データのうち、前記所定条件を満たさない楽曲データに関して、該楽曲データに関連する楽曲データをお気に入り曲に含む利用者及び選曲履歴に含む利用者の少なくとも一方を抽出する利用者抽出手段と、
該利用者抽出手段により抽出された利用者に対して、前記所定条件を満たさない楽曲データを支援対象として通知する未配信曲通知制御手段と
を、備えたことを特徴とする通信カラオケシステム。
【請求項２】
前記利用者抽出手段は、前記投稿楽曲データベースに蓄積された楽曲データのうち、前記所定条件を満たさない楽曲データに関して、該楽曲データとジャンルが共通する楽曲データをお気に入り曲に含む利用者及び選曲履歴に含む利用者の少なくとも一方を抽出するものである
請求項１に記載の通信カラオケシステム。
【請求項３】
前記利用者抽出手段は、前記投稿楽曲データベースに蓄積された楽曲データのうち、前記所定条件を満たさない楽曲データに関して、該楽曲データと投稿者が共通する楽曲データをお気に入り曲に含む利用者及び選曲履歴に含む利用者の少なくとも一方を抽出するものである
請求項１又は２に記載の通信カラオケシステム。
【請求項４】
前記利用者抽出手段は、前記投稿楽曲データベースに蓄積された楽曲データのうち、前記所定条件を満たさない楽曲データに関して、該楽曲データと歌手名が共通する楽曲データをお気に入り曲に含む利用者及び選曲履歴に含む利用者の少なくとも一方を抽出するものである
請求項１から３の何れか１項に記載の通信カラオケシステム。
【請求項５】
前記利用者抽出手段は、前記投稿楽曲データベースに蓄積された楽曲データのうち、前記所定条件を満たさない楽曲データに関して、該楽曲データと作曲者名が共通する楽曲データをお気に入り曲に含む利用者及び選曲履歴に含む利用者の少なくとも一方を抽出するものである
請求項１から４の何れか１項に記載の通信カラオケシステム。
【請求項６】
前記未配信曲通知制御手段は、前記投稿楽曲データベースに蓄積された楽曲データのうち、前記所定条件を満たさない楽曲データであり、且つ、規定の閾値以上の支援が受け付けられている楽曲データを、前記利用者に対応して支援対象として通知するものである
請求項１から５の何れか１項に記載の通信カラオケシステム。
【請求項７】
前記未配信曲通知制御手段は、前記投稿楽曲データベースに蓄積された楽曲データのうち、前記所定条件を満たさない楽曲データであり、且つ、前記投稿楽曲データベースに蓄積されてから規定の期間が経過している楽曲データを、前記利用者に対応して支援対象として通知するものである
請求項１から６の何れか１項に記載の通信カラオケシステム。
【請求項８】
楽曲データに基づいてカラオケ演奏を行うカラオケ装置を備えた通信カラオケシステムにおいて、前記カラオケ装置との間で通信回線を介して情報の通信を行うサーバ装置であって、
利用者から投稿された楽曲データを蓄積する投稿楽曲データベース及び各利用者に対応してお気に入り曲及び選曲履歴の少なくとも一方を記憶する利用者データベースとの間で通信を行う通信制御手段と、
前記投稿楽曲データベースに蓄積された楽曲データのうち、所定条件を満たす楽曲データを、前記カラオケ装置に対してカラオケ演奏可能に配信する楽曲配信管理手段と、
前記投稿楽曲データベースに蓄積された楽曲データのうち、前記所定条件を満たさない楽曲データに関して、該楽曲データに関連する楽曲データをお気に入り曲に含む利用者及び選曲履歴に含む利用者の少なくとも一方を抽出する利用者抽出手段と、
該利用者抽出手段により抽出された利用者に対して、前記所定条件を満たさない楽曲データを支援対象として通知する未配信曲通知制御手段と
を、備えたことを特徴とするサーバ装置。
【請求項９】
楽曲データに基づいてカラオケ演奏を行うカラオケ装置を備えた通信カラオケシステムにおいて、前記カラオケ装置との間で通信回線を介して情報の通信を行うサーバ装置のコンピュータを、
利用者から投稿された楽曲データを蓄積する投稿楽曲データベース及び各利用者に対応してお気に入り曲及び選曲履歴の少なくとも一方を記憶する利用者データベースとの間で通信を行う通信制御手段、
前記投稿楽曲データベースに蓄積された楽曲データのうち、所定条件を満たす楽曲データを、前記カラオケ装置に対してカラオケ演奏可能に配信する楽曲配信管理手段、
前記投稿楽曲データベースに蓄積された楽曲データのうち、前記所定条件を満たさない楽曲データに関して、該楽曲データに関連する楽曲データをお気に入り曲に含む利用者及び選曲履歴に含む利用者の少なくとも一方を抽出する利用者抽出手段、
及び、該利用者抽出手段により抽出された利用者に対して、前記所定条件を満たさない楽曲データを支援対象として通知する未配信曲通知制御手段
として機能させることを特徴とするプログラム。
【発明の詳細な説明】
【技術分野】
【０００１】
本発明は、通信回線を介してサーバ装置との間で情報の通信を行うカラオケ装置を備えた通信カラオケシステムに関し、特に、円滑で実用的な楽曲投稿サービスを実現するための改良に関する。
【背景技術】
【０００２】
楽曲データに基づいてカラオケ演奏を行うカラオケ装置が広く実用に供されている。斯かるカラオケ装置によれば、予め定められた多数の楽曲データ（カラオケ演奏曲）から電子早見本装置等により選択（選曲）された楽曲データにおける演奏情報を出力させると共に、その楽曲データにおける歌詞情報を含む映像をその出力と併行して画面に表示させることで、所望の歌のカラオケ演奏を楽しむことができる。
【０００３】
前記カラオケ装置を用いたカラオケシステムの一例として、複数のカラオケ装置を通信回線を介してサーバ装置（ホスト装置）に接続し、それらカラオケ装置及びサーバ装置相互間で情報の送受信を可能とした通信カラオケシステムが知られている。斯かる通信カラオケシステムでは、新しい演奏曲に対応するカラオケ情報が定期的に作成され、前記サーバ装置から各カラオケ装置へ配信されてそれらカラオケ装置において演奏可能とされる。そのように新規に入曲される演奏曲は、前記通信回線を介しての利用者からのリクエスト投票等により決定される。このリクエスト投票を制御するカラオケシステムが開発されている。例えば、特許文献１に記載されたカラオケシステムがその一例である。
【先行技術文献】
【特許文献】
【０００４】
【特許文献１】特開２００９−２８８６５１号公報
【発明の概要】
【発明が解決しようとする課題】
【０００５】
ところで、近年、所謂動画投稿サイトの隆盛に伴い、アマチュアが楽曲を作成してインターネット上に公開し、公衆の閲覧に供することが一般的に行われるようになった。そのようなアマチュアの作成した楽曲の中には、プロフェッショナル顔負けの楽曲も少なからず存在し、カラオケで歌いたいという要望も後を絶たなかった。実際、アマチュアの作成した楽曲が、前述のリクエスト投票により、前記カラオケ装置においてカラオケ演奏可能な楽曲として決定されることも多く、アマチュア作曲家がインターネット上において著名性を獲得し、多くのファンが存在するといったケースも珍しくない状況となってきた。
【０００６】
斯かる事情を背景に、通信カラオケシステムに係る新たなサービスとして、利用者から投稿された楽曲データをカラオケ装置においてカラオケ演奏可能とするシステムが開発され、実用化されている。このシステムにおいては、利用者から投稿された楽曲データに関して、所定値以上のポイントの消費或いは電子マネー等による金銭の消費等が受け付けられることを条件に、その楽曲データが前記カラオケ装置に対してカラオケ演奏可能に配信される。従来、斯かるポイントや金銭の消費は、楽曲データの投稿主体である利用者のみ可能であった。しかし、自身は作曲ができない利用者であっても、自分が好きなアマチュア作曲家の作成した楽曲をカラオケ演奏したいと願う利用者が、応援でポイントや金銭を消費したいという声があった。これに加え、投稿される楽曲データの数は多いため、各利用者が応援したい楽曲データを見つけることが難しいことが考えられる。このような課題は、通信カラオケシステムにおける新たなサービスの実用化を意図して本発明者が鋭意研究を継続する過程において新たに見出したものである。
【０００７】
本発明は、以上の事情を背景として為されたものであり、その目的とするところは、円滑で実用的な楽曲投稿サービスを実現する通信カラオケシステム、サーバ装置、及びプログラムを提供することにある。
【課題を解決するための手段】
【０００８】
斯かる目的を達成するために、本第１発明の要旨とするところは、楽曲データに基づいてカラオケ演奏を行うカラオケ装置と、前記カラオケ装置との間で通信回線を介して情報の通信を行うサーバ装置とを、備えた通信カラオケシステムであって、利用者から投稿された楽曲データを蓄積する投稿楽曲データベースと、各利用者に対応してお気に入り曲及び選曲履歴の少なくとも一方を記憶する利用者データベースと、前記投稿楽曲データベースに蓄積された楽曲データのうち、所定条件を満たす楽曲データを、前記カラオケ装置に対してカラオケ演奏可能に配信する楽曲配信管理手段と、前記投稿楽曲データベースに蓄積された楽曲データのうち、前記所定条件を満たさない楽曲データに関して、その楽曲データに関連する楽曲データをお気に入り曲に含む利用者及び選曲履歴に含む利用者の少なくとも一方を抽出する利用者抽出手段と、その利用者抽出手段により抽出された利用者に対して、前記所定条件を満たさない楽曲データを支援対象として通知する未配信曲通知制御手段とを、備えたことを特徴とするものである。
【発明の効果】
【０００９】
このように、前記第１発明によれば、利用者から投稿された楽曲データを蓄積する投稿楽曲データベースと、各利用者に対応してお気に入り曲及び選曲履歴の少なくとも一方を記憶する利用者データベースと、前記投稿楽曲データベースに蓄積された楽曲データのうち、所定条件を満たす楽曲データを、前記カラオケ装置に対してカラオケ演奏可能に配信する楽曲配信管理手段と、前記投稿楽曲データベースに蓄積された楽曲データのうち、前記所定条件を満たさない楽曲データに関して、その楽曲データに関連する楽曲データをお気に入り曲に含む利用者及び選曲履歴に含む利用者の少なくとも一方を抽出する利用者抽出手段と、その利用者抽出手段により抽出された利用者に対して、前記所定条件を満たさない楽曲データを支援対象として通知する未配信曲通知制御手段とを、備えたものであることから、各利用者がお気に入り曲や選曲履歴に含む楽曲データに関連し、その利用者が関心を持つ可能性が高い楽曲データを、支援の対象として斯かる利用者に通知できる。すなわち、円滑で実用的な楽曲投稿サービスを実現する通信カラオケシステムを提供することができる。
【００１０】
前記第１発明において、好適には、前記利用者抽出手段は、前記投稿楽曲データベースに蓄積された楽曲データのうち、前記所定条件を満たさない楽曲データに関して、その楽曲データとジャンルが共通する楽曲データをお気に入り曲に含む利用者及び選曲履歴に含む利用者の少なくとも一方を抽出するものである。このようにすれば、各利用者がお気に入り曲や選曲履歴に含む楽曲データとジャンルが共通し、その利用者が関心を持つ可能性が高い楽曲データを、支援の対象として斯かる利用者に通知できる。
【００１１】
また、好適には、前記利用者抽出手段は、前記投稿楽曲データベースに蓄積された楽曲データのうち、前記所定条件を満たさない楽曲データに関して、その楽曲データと投稿者が共通する楽曲データをお気に入り曲に含む利用者及び選曲履歴に含む利用者の少なくとも一方を抽出するものである。このようにすれば、各利用者がお気に入り曲や選曲履歴に含む楽曲データと投稿者が共通し、その利用者が関心を持つ可能性が高い楽曲データを、支援の対象として斯かる利用者に通知できる。
【００１２】
また、好適には、前記利用者抽出手段は、前記投稿楽曲データベースに蓄積された楽曲データのうち、前記所定条件を満たさない楽曲データに関して、その楽曲データと歌手名が共通する楽曲データをお気に入り曲に含む利用者及び選曲履歴に含む利用者の少なくとも一方を抽出するものである。このようにすれば、各利用者がお気に入り曲や選曲履歴に含む楽曲データと歌手名が共通し、その利用者が関心を持つ可能性が高い楽曲データを、支援の対象として斯かる利用者に通知できる。
【００１３】
また、好適には、前記利用者抽出手段は、前記投稿楽曲データベースに蓄積された楽曲データのうち、前記所定条件を満たさない楽曲データに関して、その楽曲データと作曲者名が共通する楽曲データをお気に入り曲に含む利用者及び選曲履歴に含む利用者の少なくとも一方を抽出するものである。このようにすれば、各利用者がお気に入り曲や選曲履歴に含む楽曲データと作曲者名が共通し、その利用者が関心を持つ可能性が高い楽曲データを、支援の対象として斯かる利用者に通知できる。
【００１４】
また、好適には、前記未配信曲通知制御手段は、前記投稿楽曲データベースに蓄積された楽曲データのうち、前記所定条件を満たさない楽曲データであり、且つ、規定の閾値以上の支援が受け付けられている楽曲データを、前記利用者に対応して支援対象として通知するものである。このようにすれば、例えば各利用者に対応して定められた支援の閾値を考慮し、既に規定の閾値以上の支援が受け付けられている楽曲データに絞って前記通知を行うことで、更に円滑で実用的な楽曲投稿サービスを実現できる。
【００１５】
また、好適には、前記未配信曲通知制御手段は、前記投稿楽曲データベースに蓄積された楽曲データのうち、前記所定条件を満たさない楽曲データであり、且つ、前記投稿楽曲データベースに蓄積されてから規定の期間が経過している楽曲データを、前記利用者に対応して支援対象として通知するものである。このようにすれば、例えば公開期限が迫っている楽曲データに絞って前記通知を行うことで、更に円滑で実用的な楽曲投稿サービスを実現できる。
【００１６】
また、前記目的を達成するために、本第２発明の要旨とするところは、楽曲データに基づいてカラオケ演奏を行うカラオケ装置を備えた通信カラオケシステムにおいて、前記カラオケ装置との間で通信回線を介して情報の通信を行うサーバ装置であって、利用者から投稿された楽曲データを蓄積する投稿楽曲データベース及び各利用者に対応してお気に入り曲及び選曲履歴の少なくとも一方を記憶する利用者データベースとの間で通信を行う通信制御手段と、前記投稿楽曲データベースに蓄積された楽曲データのうち、所定条件を満たす楽曲データを、前記カラオケ装置に対してカラオケ演奏可能に配信する楽曲配信管理手段と、前記投稿楽曲データベースに蓄積された楽曲データのうち、前記所定条件を満たさない楽曲データに関して、その楽曲データに関連する楽曲データをお気に入り曲に含む利用者及び選曲履歴に含む利用者の少なくとも一方を抽出する利用者抽出手段と、その利用者抽出手段により抽出された利用者に対して、前記所定条件を満たさない楽曲データを支援対象として通知する未配信曲通知制御手段とを、備えたことを特徴とするものである。このようにすれば、各利用者がお気に入り曲や選曲履歴に含む楽曲データに関連し、その利用者が関心を持つ可能性が高い楽曲データを、支援の対象として斯かる利用者に通知できる。すなわち、円滑で実用的な楽曲投稿サービスを実現するサーバ装置を提供することができる。
【００１７】
また、前記目的を達成するために、本第３発明の要旨とするところは、楽曲データに基づいてカラオケ演奏を行うカラオケ装置を備えた通信カラオケシステムにおいて、前記カラオケ装置との間で通信回線を介して情報の通信を行うサーバ装置のコンピュータを、利用者から投稿された楽曲データを蓄積する投稿楽曲データベース及び各利用者に対応してお気に入り曲及び選曲履歴の少なくとも一方を記憶する利用者データベースとの間で通信を行う通信制御手段、前記投稿楽曲データベースに蓄積された楽曲データのうち、所定条件を満たす楽曲データを、前記カラオケ装置に対してカラオケ演奏可能に配信する楽曲配信管理手段、前記投稿楽曲データベースに蓄積された楽曲データのうち、前記所定条件を満たさない楽曲データに関して、その楽曲データに関連する楽曲データをお気に入り曲に含む利用者及び選曲履歴に含む利用者の少なくとも一方を抽出する利用者抽出手段、及び、その利用者抽出手段により抽出された利用者に対して、前記所定条件を満たさない楽曲データを支援対象として通知する未配信曲通知制御手段として機能させることを特徴とするプログラムである。このようにすれば、各利用者がお気に入り曲や選曲履歴に含む楽曲データに関連し、その利用者が関心を持つ可能性が高い楽曲データを、支援の対象として斯かる利用者に通知できる。すなわち、円滑で実用的な楽曲投稿サービスを実現するプログラムを提供することができる。
【図面の簡単な説明】
【００１８】
【図１】本発明の好適な実施例である通信カラオケシステムの構成を説明する図である。
【図２】図１の通信カラオケシステムに備えられたカラオケ装置の構成を例示するブロック線図である。
【図３】図１の通信カラオケシステムに備えられたパーソナルコンピュータの構成を説明するブロック線図である。
【図４】図１の通信カラオケシステムに備えられたサーバ装置の構成を例示するブロック線図である。
【図５】図１の通信カラオケシステムに備えられたサーバ装置の構成を例示するブロック線図である。
【図６】図１の通信カラオケシステムに備えられたサーバ装置の構成を例示するブロック線図である。
【図７】図１の通信カラオケシステムに備えられたサーバ装置の構成を例示するブロック線図である。
【図８】図１の通信カラオケシステムにおいて、利用者から投稿された楽曲データがカラオケ装置においてカラオケ演奏可能となるまでの各構成の作動について大まかに説明する図である。
【図９】図１の通信カラオケシステムに備えられた制御機能の一例の要部を説明する機能ブロック線図である。
【図１０】図１の通信カラオケシステムにおける投稿楽曲データベースに蓄積された各楽曲データに対するポイントの消費の受け付けについて説明する図である。
【図１１】図４或いは図５のサーバ装置のＣＰＵによる未配信曲通知制御の一例の要部を説明するフローチャートである。
【図１２】図５のサーバ装置のＣＰＵによる投稿楽曲管理制御の一例の要部を説明するフローチャートである。
【図１３】図６のサーバ装置のＣＰＵによる配信楽曲管理制御の一例の要部を説明するフローチャートである。
【発明を実施するための形態】
【００１９】
以下、本発明の好適な実施例を図面に基づいて詳細に説明する。
【実施例】
【００２０】
図１は、本発明の好適な実施例である通信カラオケシステム１０（以下、単にシステム１０という）の構成を説明する図である。この図１に示すシステム１０においては、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６は、ルータ２２を介して通信回線２０に接続されており、同様にその通信回線２０に接続されたサーバ装置１８等との相互間でその通信回線２０を介して情報の通信が可能とされている。
【００２１】
また、前記システム１０は、複数の電子早見本装置２８ａ、２８ｂ、２８ｃ、・・・（以下、特に区別しない場合には単に電子早見本装置２８と称する）を備えており、前記カラオケ装置１６の利用に際して、各利用者（グループ）毎に１台乃至数台ずつの前記電子早見本装置２８が貸与され、各個室１４において後述するように前記カラオケ装置１６との間で対応付け処理が行われることで、そのカラオケ装置１６の遠隔操作装置として用いられるようになっている。また、図１に示すように、前記店舗１２内には前記複数のカラオケ装置１６を相互に接続するＬＡＮ２４が敷設されており、前記電子早見本装置２８からのカラオケ装置１６への入力は、所定のアクセスポイント２６及びＬＡＮ２４を介したＬＡＮ通信等により行われる。
【００２２】
前記通信回線２０は、例えば公衆電話回線、ＡＤＳＬ回線、或いは光ファイバ回線等から構成されるＷＷＷ（World Wide Web）等のインターネットに接続された広域情報通信網である。図１に示すように、前記システム１０においては、前記通信回線２０を介して複数のシステム乃至通信端末装置との間で相互に情報の送受信が可能とされている。すなわち、サーバ装置１８ａ〜１８ｄ（以下、特に区別しない場合には単にサーバ装置１８という）が前記通信回線２０に接続されており、それらサーバ装置１８ａ〜１８ｄ相互間での通信が可能とされている。また、前記通信回線２０を介して、前記サーバ装置１８と前記複数のカラオケ装置１６、電子早見本装置２８等との間で相互に情報の送受信が可能とされている。前記サーバ装置１８は、例えば、前記システム１０を管理するカラオケサービス提供会社によって運営されるサーバであり、図４〜図７を用いて後述する。
【００２３】
前記システム１０においては、一般にデスクトップパソコンやノートパソコン等と称される家庭用のパーソナルコンピュータ３０（以下、ＰＣ３０という）が前記通信回線２０に接続されており、前記ＰＣ３０と前記サーバ装置１８等との間で相互に情報の送受信が可能とされている。また、携帯電話機３２等が、中継基地局３４を介して前記通信回線２０に接続されており、前記携帯電話機３２等と前記サーバ装置１８等との間で相互に情報の送受信が可能とされている。前記携帯電話機３２は、好適には、タッチパネルディスプレイを有すると共に、そのタッチパネルディスプレイを介しての操作に応じた前記通信回線２０へのアクセス機能をはじめとする各種機能を有する所謂スマートフォンである。
【００２４】
図２は、前記システム１０に備えられたカラオケ装置１６の構成を例示するブロック線図である。この図２に示すように、前記カラオケ装置１６は、中央演算処理装置であるＣＰＵ４２と、読出専用メモリであるＲＯＭ４４と、随時書込読出メモリであるＲＡＭ４６と、記憶装置であるハードディスク４８と、グラフィックスチップ（グラフィックスボード）等の映像処理部５０と、サウンドチップ（サウンドボード）等の音声処理部５２と、操作パネル５４と、表示制御部５６及び入力制御部５８を介して前記ＣＰＵ４２に接続されたタッチパネルディスプレイ６０と、ＬＡＮインターフェイス６６と、無線通信部６８と、ビデオ出力端子７０を介して前記映像処理部５０に接続された映像表示装置であるディスプレイ７２と、オーディオ入力端子７４を介して前記音声処理部５２に接続された音声入力装置であるマイクロフォン７６と、オーディオ出力端子７８を介して前記音声処理部５２に接続された音声増幅装置であるアンプ８０と、そのアンプ８０に備えられた音声出力装置であるスピーカ８２とを、備えて構成されている。
【００２５】
前記ＣＰＵ４２は、前記ＲＡＭ４６の一時記憶機能を利用しつつ前記ＲＯＭ４４に予め記憶された所定のプログラムに基づいて電子情報を処理・制御する所謂マイクロコンピュータであり、前記カラオケ装置１６における各種制御を実行する。すなわち、前記操作パネル５４、タッチパネルディスプレイ６０、或いは電子早見本装置２８等により所定の楽曲（カラオケ演奏曲）が選曲入力された場合、その選曲入力された楽曲を前記ＲＡＭ４６等に設けられた予約曲テーブルに登録する選曲予約制御、その予約曲テーブルの演奏順に従って前記ハードディスク４８から前記ＲＡＭ４６に選曲されたカラオケ演奏曲の演奏情報及び歌詞情報（楽曲データ）を読み出す楽曲データ読出制御、楽曲の演奏進行に応じてそのＲＡＭ４６から前記音声処理部５２へ演奏情報を送信する演奏出力制御、その演奏出力制御に際して前記ＲＡＭ４６に展開された歌詞情報に基づいて歌詞文字映像を生成して前記映像処理部５０へ送信する歌詞文字映像出力制御、前記演奏出力制御に際して前記映像処理部５０を制御して所定の背景映像を再生させる背景映像出力制御、及びカラオケ演奏が行われていない間すなわち曲間において、新譜情報、選曲ランキング、店舗広告等の曲間情報を出力させる曲間情報出力制御等の基本的な制御を実行する。
【００２６】
前記映像処理部５０は、前記ディスプレイ７２に表示される画面（映像）の描画に係る各種制御を行う。例えば、前記ＣＰＵ４２から供給されるデータに基づいてグラフィックスメモリにそのデータを書き込み、そのデータを読み出すことによって前記ビデオ出力端子７０を介して前記ディスプレイ７２に所定の画面を表示させる制御を行う。具体的には、前記カラオケ装置１６による楽曲の演奏出力（カラオケ演奏）に際して、前記ＣＰＵ４２において生成された歌詞文字映像等の文字映像（テロップ）を出力させたり、前記ハードディスク４８に記憶されたＭＰＥＧ（Moving Picture Experts Group）データ等の背景映像情報に基づいて所定の背景映像を再生（デコード）させたり、その背景映像の前面側に前記歌詞文字映像を合成させて前記ディスプレイ７２に表示させたり、その歌詞文字映像を前記楽曲の演奏進行に応じて順次色替わり表示させる等の各種表示制御を行う。なお、本実施例においては、前記映像処理部５０により前記ディスプレイ７２の表示制御を行う一方、後述する表示制御部５６により前記タッチパネルディスプレイ６０（表示装置６２）の表示制御を行う態様について説明するが、前記映像処理部５０により前記タッチパネルディスプレイ６０の表示制御をも行う態様も考えられる。この態様において、前記表示制御部５６は必ずしも設けられなくともよい。
【００２７】
前記音声処理部５２は、ＦＭ音源やＰＣＭ音源等の各種音源を備え、前記カラオケ装置１６による音声出力に係る各種制御を行う。好適には、電子回路により音を合成し、各種音色を発生するシンセサイザ（synthesizer）を備えている。このシンセサイザは、前記ハードディスク４８から読み出されて送られて来るカラオケ演奏曲の演奏情報に基づいて楽器の演奏信号等の音楽信号を生成する。前記シンセサイザは、好適には、ＭＩＤＩ（Musical Instrument Digital Interface）端子を備えたものであり、前記演奏情報は、例えばＭＩＤＩ形式のデータである。また、前記音声処理部５２は、ＭＰＥＧ（Moving Picture Experts Group）形式のデータや、ＷＡＶＥサウンドファイル等、所謂生音データであるサウンドデータに基づいて音楽信号を生成する。前記シンセサイザにより生成された音楽信号は、前記マイクロフォン７６から前記オーディオ入力端子７４を介して入力される利用者（演奏者）の歌声とミキシングされ、前記オーディオ出力端子７８を介して前記アンプ８０に供給されてそのアンプ８０により増幅されて前記スピーカ８２から出力される。
【００２８】
前記操作パネル５４は、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための操作ボタン（スイッチ）或いはつまみを備えた入力装置である。また、前記タッチパネルディスプレイ６０は、画像（映像）を表示させると共に利用者の操作に応じて前記カラオケ装置１６への操作入力を行う装置であり、そのタッチパネルディスプレイ６０に所定の画像（映像）を表示させる表示装置６２と、利用者の指や図示しない備え付けのペン等による前記タッチパネルディスプレイ６０への接触により入力を行うタッチパネル６４とを、備えている。前記表示制御部５６は、前記ＣＰＵ４２から供給される情報に基づいて前記表示装置６２に表示される画面（映像）の描画を制御する映像処理部である。前記入力制御部５８は、前記タッチパネル６４により入力される操作入力情報を前記ＣＰＵ４２等に供給する入力処理部である。以上の構成を備えていることで、前記タッチパネルディスプレイ６０は、前記ディスプレイ７２とは別に第２の映像表示装置として機能すると共に、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための入力装置として機能する。
【００２９】
前記ＬＡＮインターフェイス６６は、前記カラオケ装置１６をＬＡＮ接続端子８４を介して前記ＬＡＮ２４に接続するための接続器であり、そのように前記ＬＡＮ２４に接続されることで、前記カラオケ装置１６は、同様に前記ＬＡＮ２４に接続された前記電子早見本装置２８等の他の機器との間で情報の送受信が可能とされる。また、前記カラオケ装置１６が設置される店舗等に複数台のカラオケ装置１６が備えられている場合において、同様に前記ＬＡＮ２４に接続されたカラオケ装置１６相互間において情報の送受信が可能とされる。例えば、前記ＬＡＮ２４に接続されたアクセスポイント２６を介して受信される電子早見本装置２８からの選曲入力を受け付けて前記ＲＡＭ４６に設けられた予約曲テーブルに記憶したり、そのアクセスポイント２６を介して前記カラオケ装置１６から電子早見本装置２８へ所定の情報を送信したりというように、電波を介して前記カラオケ装置１６と電子早見本装置２８との間における相互の情報のやりとりが実行される。
【００３０】
前記カラオケ装置１６は、図１に示すように、前記ＬＡＮ２４及びルータ２２等を介して前記通信回線２０に接続されており、同様にその通信回線２０に接続された他の機器との相互間でその通信回線２０を介して情報の通信が可能とされている。好適には、前記通信回線２０を介して前記サーバ装置１８等に接続されており、そのサーバ装置１８から楽曲データ（カラオケデータ）、背景映像情報、及び曲間情報等のデジタルコンテンツ（Digital Contents）の配信を受け付けるものである。すなわち、前記カラオケ装置１６は、所定の通信回線に接続されてサーバとの間で各種情報の送受信を行う通信カラオケ装置である。
【００３１】
前記無線通信部６８は、前記カラオケ装置１６と前記電子早見本装置２８等の入力装置との間の無線通信を行う。例えば、前記電子早見本装置２８等の入力装置から送信されるリモコン信号を受信するリモコン受信部として機能する。前記カラオケ装置１６と電子早見本装置２８との対応付け（くくりつけ）処理は、好適には、斯かるリモコン信号（赤外線信号）により前記無線通信部６８を介して行われる。すなわち、前記電子早見本装置２８は、それぞれ個別のシリアル番号を有しており、前記対応付け処理においては、例えばそのシリアル番号（例えば、下４桁）及び所定の接続コードを含む信号が接続通知として前記カラオケ装置１６へ送信され、前記無線通信部６８によりその接続信号を受信したカラオケ装置１６に対して前記電子早見本装置２８が対応付けられる。そのようにして前記カラオケ装置１６に対応付けられた電子早見本装置２８は、そのカラオケ装置１６の入力装置（遠隔操作装置）として機能し、その電子早見本装置２８から送信される信号が前記ＣＰＵ４２に供給されることで、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための入力が受け付けられるようになっている。なお、前記対応付け処理が行われた後、前記電子早見本装置２８と前記カラオケ装置１６との間の通信は、前記ＬＡＮ２４及びアクセスポイント２６等を介したＬＡＮ通信により行われる。前記カラオケ装置１６との間で前記対応付け処理が行われた前記電子早見本装置２８は、前記カラオケ装置１６との間で相互に情報の通信を行うことで、そのカラオケ装置１６の一部として機能する。
【００３２】
図３は、前記ＰＣ３０の構成を例示する図である。このＰＣ３０は、中央演算処理装置であるＣＰＵ９０により随時書込読出メモリであるＲＡＭ９４の一時記憶機能を利用しつつ読出専用メモリであるＲＯＭ９２に予め記憶されたプログラムに従って信号処理を行う所謂ノイマン式コンピュータであり、一般にデスクトップパソコンやノートパソコン等と称される家庭用パーソナルコンピュータである。また、図３に示すように、映像表示部として機能するＴＦＴやＰＤＰ等の映像表示装置９６と、その映像表示装置９６による映像の表示を制御するグラフィックスチップ（グラフィックスボード）等の映像処理部９８と、キーボード１００及びマウス１０２等の入力装置と、それら入力装置による入力を処理するための入力インターフェイス１０４と、前記ＣＰＵ９０等を前記通信回線２０に接続するためのモデム１０６と、記憶装置であるハードディスク１０８とを、備えて構成されている。また、このＰＣ３０は、所謂ＷＷＷ（World Wide Web）ウェブサイトの情報を表示させると共にそのウェブサイトに従って各種入力等を行うことができるブラウザ（ＷＷＷブラウザ）等の一般的なアプリケーションを機能的に備えたものである。
【００３３】
図４〜図７は、前記システム１０に備えられた前記サーバ装置１８ａ〜１８ｄの構成をそれぞれ説明する図である。これらの図に示すように、本実施例では、説明の便宜上、前記サーバ装置１８ａ〜１８ｄが中央演算処理装置等の要素を等しくする同一型式のサーバである態様について説明する。すなわち、前記サーバ装置１８ａ〜１８ｄは、中央演算処理装置であるＣＰＵ１２０により随時書込読出メモリであるＲＡＭ１２４の一時記憶機能を利用しつつ読出専用メモリであるＲＯＭ１２２に予め記憶されたプログラムに従って信号処理を行う所謂ノイマン型コンピュータである。また、ビデオボード等の映像表示制御部１２８により制御されるＴＦＴ等の映像表示装置１２６と、インターフェイス１３２を介して接続されるキーボード等の入力装置１３０と、前記ＣＰＵ１２０を前記通信回線２０に接続するための装置であるモデム１３４とを、備えて構成されている。前記サーバ装置１８ａ〜１８ｄは、このモデム１３４を介して前記通信回線２０に接続されることにより、その通信回線２０に接続された前記ＰＣ３０や携帯電話機３２等との間で相互に情報の送受信が可能とされている。
【００３４】
図４に示すように、前記サーバ装置１８ａは、楽曲データベース１３６を備えており、前記カラオケ装置１６からの配信要求に応じて、前記楽曲データベース１３６に記憶された楽曲データを、要求元である前記カラオケ装置１６へ配信する制御を行う。或いは、前記カラオケ装置１６に対して定期的に最新の楽曲データを配信する制御を行うものであってもよい。前記楽曲データベース１３６は、前記カラオケ装置１６によりカラオケ演奏を行うための多数（例えば、数万曲）の楽曲データを記憶する記憶装置である。この楽曲データは、各演奏曲に対応する演奏音を生成するための演奏情報及びその演奏曲の歌詞に対応する歌詞文字映像（歌詞テロップ）を生成するための歌詞情報等から成るものであり、コンテンツＩＤである各演奏曲に固有の選曲番号により識別される。前記楽曲データは、好適には、予め定められた複数種類の楽器のうち何れかの楽器の演奏音を出力させるためのＭＩＤＩ（Musical Instrument Digital Interface）形式のデータであり、出力に係る演奏音（楽器）の種類と、各演奏音に対応して定められた楽譜情報とを、含んでいる。前記楽曲データベース１３６には、専ら前記システム１０を管理するカラオケサービス提供会社において作成された楽曲データ（カラオケ事業者側が用意した楽曲データ）が蓄積される。換言すれば、利用者から投稿された楽曲データは、前記楽曲データベース１３６には蓄積されない。或いは、前記投稿楽曲データベース１４０に蓄積された楽曲データのうち所定値以上のポイントの消費が受け付けられ、前記カラオケ装置１６に対して配信可能となった楽曲データは、前記システム１０を管理するカラオケサービス提供会社において作成された楽曲データと共に前記楽曲データベース１３６に蓄積されるものであってもよい。或いは、前記投稿楽曲データベース１４０に蓄積された楽曲データのうち所定値以上のポイントの消費が受け付けられ、前記カラオケ装置１６に対して配信可能となった楽曲データに関して、配信フラグが立てられる等して、前記投稿楽曲データベース１４０に蓄積されたまま、前記カラオケ装置１６に対してカラオケ演奏可能に配信されるものであってもよい。斯かる態様において、前記サーバ装置１８ｃ及び配信楽曲データベース１４２は、必ずしも設けられなくともよい。
【００３５】
図４に示すように、前記サーバ装置１８ａは、ＳＮＳデータベース１３８を備えており、前記システム１０の利用者を対象とするソーシャルネットワークサービス（Social Network Service）を管理運営する制御を実行する。このソーシャルネットワークサービスとは、例えば、予め会員登録された会員相互間に限定して情報の閲覧等のサービスを提供する会員制のコミュニティ型のウェブサイトをいう。以下の説明において、ソーシャルネットワークサービスをＳＮＳと略称する。前記ＳＮＳデータベース１３８は、前記システム１０を利用する各利用者毎の情報を、その利用者の識別情報であるユーザＩＤと関連付けて記憶する記憶装置である。このＳＮＳデータベース１３８には、例えば、会員登録された各利用者に対応する情報として、その利用者の名前（本名又はニックネーム）、生年月日、年齢、性別、メールアドレス、血液型、出身地、居住地、出身校（卒業校）、職場、配偶者の有無、家族、言語、宗教、座右の銘、アバタに関する情報、パスワードを忘れたときのための質問及び解答、及びＳＮＳへのログイン認証に用いられるパスワード等の各項目に関する情報が、その利用者のユーザＩＤと関連付けられて記憶されている。前記ＳＮＳデータベース１３８に記憶された内容に対応するウェブサイトは、前記ＰＣ３０や携帯電話機３２等の情報通信端末により正常なログイン認証が行われた利用者に対して閲覧可能に公開される。
【００３６】
前記ＳＮＳデータベース１３８には、好適には、各利用者が過去に利用したカラオケ装置１６に対応する店舗１２（そのカラオケ装置１６が設置された店舗１２）に関する情報である来店履歴、各利用者が前記カラオケ装置１６によるカラオケ演奏において十八番曲として登録した演奏曲（簡易な操作により選曲入力を行い得るように設定された演奏曲）に関する情報、各利用者が過去に前記カラオケ装置１６によるカラオケ演奏において選曲した選曲履歴（カラオケ装置１６において過去に選曲された演奏曲の履歴）としての演奏曲に関する情報、各利用者が前記カラオケ装置１６によるカラオケ演奏において過去に行った演奏評価の評価結果に関する情報、各利用者が前記カラオケ装置１６（システム１０）における新規入力曲のリクエスト投票（入曲リクエスト）を行った対象となる演奏曲に関する情報、各利用者の顔写真をはじめとする画像情報、各利用者が所定の演奏曲等に関して記載（入力）したレビュー、及び歌年齢等の属性情報が各利用者毎にその利用者と関連づけられて記憶されるようになっている。この歌年齢とは、利用者の演奏曲の好みの傾向がどの程度の年代（何歳）に相当するものかを示す仮想的な年齢情報であり、対象となる利用者が前記カラオケ装置１６において過去に選曲（演奏）した演奏曲に基づいて判断される値であり、好適には、対象となる利用者が過去に選曲（演奏）した演奏曲を算出の基準として、その利用者のカラオケ演奏の傾向がどの程度の年齢に相当するかという観点から導出される値である。
【００３７】
前記ＳＮＳデータベース１３８には、好適には、後述する投稿楽曲データベース１４０に投稿された楽曲データに関して、各利用者により予め登録された楽曲であるお気に入り曲が記憶されている。例えば、各利用者が、投稿楽曲データベース１４０に投稿された楽曲を、前記ＰＣ３０等により閲覧した際に、そのＰＣ３０等を介して所定の操作が行われることにより、対象となる楽曲がその利用者のお気に入り曲として登録され、前記ＳＮＳデータベース１３８に記憶される。前記ＰＣ３０等による、前記投稿楽曲データベース１４０に投稿された楽曲データに対応するウェブサイトの閲覧に際して、前記お気に入り曲として登録された楽曲データは、簡易な操作により閲覧のための選択入力が可能とされる。この各利用者に対応するお気に入り曲は、投稿楽曲データベース１４０に記憶されるものであってもよい。
【００３８】
前記ＳＮＳデータベース１３８には、前記システム１０を利用する各利用者に属するポイントが、その利用者の識別情報と関連付けられて記憶されるようになっている。このポイントとは、前記システム１０における各種の条件が満たされた場合に各利用者に付与される点数である。また、各利用者が前記システム１０に係る各種のサービスを享受する際に消費される点数である。すなわち、本実施例において、前記ＳＮＳデータベース１３８は、各利用者に対応してポイントを蓄積するポイントデータベースに対応する。好適には、前記ＳＮＳデータベース１３８において、各利用者に対応して記憶されたポイントは、前記システム１０と連働する動画投稿サービス（動画配信サービス）においても共通して利用される。各利用者に対応して前記ＳＮＳデータベース１３８に蓄積されるポイントの獲得、消費については、図９に示すＳＮＳ管理制御手段１５０に関して後述する。
【００３９】
前記ＳＮＳデータベース１３８においては、そのＳＮＳデータベース１３８に記憶（登録）された複数の利用者がフレンドとして相互に対応付けられて記憶されている。すなわち、各利用者に対応するフレンド情報が、前記ＳＮＳデータベース１３８に記憶されている。このフレンドとは、本実施例のＳＮＳにおいて、フレンドではない不特定多数の利用者とは一線を画す関係であることを示す身分であり、前記ＳＮＳデータベース１３８に記憶された所定の利用者に対応する情報のうち、公開レベルが「友達」とされた情報に関しては、その利用者のフレンドとして登録されている利用者は閲覧できるが、フレンドとして登録されていない利用者は閲覧できない。このフレンド登録に関する情報は、各利用者に関連する情報として前記ＳＮＳデータベース１３８に記憶されるものであってもよいし、例えばフレンド登録された利用者それぞれのユーザＩＤを別途登録するというように前記ＳＮＳデータベース１３８とは別のデータベースに記憶されるものであってもよい。また、好適には、フレンド登録の申し込みがあった場合に、一律にフレンド登録を行うのではなく、申し込まれた利用者の許可を待ってその申し込みに係るフレンド登録を行う。
【００４０】
前記ＳＮＳデータベース１３８には、好適には、前記投稿楽曲データベース１４０に各利用者が投稿した楽曲データが記憶されている。例えば、各利用者が作曲して前記楽曲データベース１０４に投稿した楽曲が、その利用者のユーザＩＤと関連付けられて前記ＳＮＳデータベース１３８に記憶されている。或いは、前記投稿楽曲データベース１４０に各利用者が投稿した楽曲データの曲名、歌手名、及びジャンル等の情報が、各利用者のユーザＩＤと関連付けられて前記ＳＮＳデータベース１３８に記憶されるものであってもよい。
【００４１】
前記ＳＮＳデータベース１３８には、好適には、前記システム１０を利用する各利用者に属する課金情報が、その利用者のユーザＩＤと関連付けられて記憶されるようになっている。この課金情報とは、前記システム１０に係る各種のサービスを享受する際に消費されるポイント、電子通貨（電子マネー）、クレジット等の通貨或いは仮想通貨に関する情報である。電子通貨とは、予めＩＣカードや磁器カードなどに金銭的な価値のあるものを加算（チャージ）し、これをもって電子決済を行うものである。クレジットとは、公知のクレジットカードにより決済を行うものである。本発明は、各利用者が投稿した楽曲データを、電子通貨やクレジット等の消費を条件としてカラオケ配信可能とする技術にも適用される。以下、本実施例においては、前記課金情報の一例として、各利用者が投稿した楽曲データを、主にポイントの消費を条件としてカラオケ配信可能とする技術に本発明が適用された例について説明する。
【００４２】
以上のように、前記ＳＮＳデータベース１３８には、各利用者により予め登録された楽曲であるお気に入り曲、各利用者が前記カラオケ装置１６を用いて行ったカラオケ演奏の履歴である選曲履歴、各利用者のフレンドとして予め登録された他の利用者の情報であるフレンド情報等の各種属性情報が、その利用者の識別情報と対応付けられて記憶されている。すなわち、本実施例において、前記ＳＮＳデータベース１３８は、各利用者に対応してお気に入り曲及び選曲履歴の少なくとも一方を記憶する利用者データベースに対応する。
【００４３】
前記サーバ装置１８ａのＣＰＵ１２０は、前記ＳＮＳデータベース１３８を主体とする前記ＳＮＳに関する情報管理制御を行う。具体的には、前記ＰＣ３０や携帯電話機３２等による入力操作に応じて、前記ＳＮＳデータベース１３８に新規ユーザ（利用者）の登録を行ったり、前記ＳＮＳデータベース１３８に記憶された登録内容を変更（更新）したり、前記ＳＮＳデータベース１３８に記憶された内容に対応するウェブサイトを、前記ＰＣ３０や携帯電話機３２等の情報通信端末により閲覧可能に公開したり、前記ＳＮＳデータベース１３８に記憶された複数の利用者をフレンドとして相互に関連付けて登録したり、前記ＳＮＳデータベース１３８に記憶された内容を各項目毎に予め設定された公開レベルに応じて前記通信回線２０を介して閲覧可能に公開したりというように、前記ＳＮＳの統括的な管理制御を行う。
【００４４】
図５に示すように、前記サーバ装置１８ｂは、投稿楽曲データベース１４０を備えている。この投稿楽曲データベース１４０は、前記システム１０の利用者から投稿された楽曲データを蓄積する。具体的には、各利用者が前記ＰＣ３０等により所謂ＤＴＭ（Desktop Music）で作成（自作）した楽曲データが、前記通信回線２０を介して前記サーバ装置１８ｂにアップロードされ、前記投稿楽曲データベース１４０に蓄積される。好適には、前記投稿楽曲データベース１４０には、投稿（記憶）された各楽曲データに対応して、投稿者すなわち投稿主体である利用者（例えば、ユーザＩＤ）、曲名、投稿日（年月日）、ジャンル、歌手名（アーティスト名）、作曲者名、及び簡単な説明等が、各楽曲データに固有の投稿曲選曲番号をインデックスとして記憶されている。このジャンルとは、Ｊ−ｐｏｐ（ポップス）、ロックンロール、Ｒ＆Ｂ、テクノ、レゲエ、演歌、軍歌、アニメソング、邦楽、洋楽等の演奏曲の分類や、ドラマ、夏、懐メロ、恋愛、自然、酒、海、川等の演奏曲の曲調を表すキーワード等である、好適には、各楽曲データはそれら複数のジャンルのうち少なくとも１つのジャンルに属するものである。前記歌手名は、各楽曲データに対応する楽曲のオリジナルアーティストに相当する。換言すれば、その楽曲を所謂持ち歌とする歌唱者（歌手）である。好適には、各楽曲データは少なくとも１人の歌手名に対応付けられるものであるが、投稿楽曲の中には、定まった歌唱者がない楽曲もあるため、必ずしも全ての楽曲データが歌手名に対応付けられたものでなくともよい。同姓同名の歌唱者に対応する楽曲データ相互の混同を避けるために、各歌唱者がそれぞれ個別の識別情報（例えば、歌唱者ＩＤ）によって識別されるものであってもよい。また、作曲者名は、楽曲データに対応する楽曲（オリジナルアーティスト楽曲）を作曲した作曲者名に相当する。
【００４５】
前記投稿楽曲データベース１４０に記憶された楽曲データは、前記通信回線２０を介して、前記ＰＣ３０、前記携帯電話機３２等による閲覧可能に公開される。すなわち、前記投稿楽曲データベース１４０に記憶された楽曲データは、前記ＰＣ３０、前記携帯電話機３２等により試聴（再生）可能とされる。この投稿楽曲データベース１４０に記憶された楽曲データの試聴は、前記ＳＮＳデータベース１３８に登録された利用者すなわち前記ＳＮＳのユーザＩＤを有する利用者に限定して可能とされるものであってもよいが、ユーザＩＤの有無によらず任意の利用者に対して可能とされるものであってもよい。
【００４６】
前記投稿楽曲データベース１４０に記憶される楽曲データは、好適には、ＭＰＥＧ（Moving Picture Experts Group）形式のデータや、ＷＡＶＥサウンドファイル等の所謂生音データである。更に好適には、音楽情報及び映像情報を含む動画データ（動画ファイル）である。この映像情報は、好適には、対象となる楽曲の歌詞文字映像を含む。すなわち、前記投稿楽曲データベース１４０に記憶される楽曲データは、好適には、前記楽曲データベース１３６に記憶されるカラオケ事業者の提供による楽曲データとは仕様の異なる楽曲データであるが、同一の仕様であってもよい。すなわち、前記投稿楽曲データベース１４０に記憶される楽曲データは、ＭＩＤＩデータであってもよく、映像情報や歌詞情報を含まないものであってもよい。斯かる態様においては、各楽曲データと書誌事項が前記投稿楽曲データベース１４０に蓄積される。
【００４７】
本実施例において、前記投稿楽曲データベース１４０に投稿された楽曲データには、各楽曲データ毎に保存期間が予め定められている。例えば、前記投稿楽曲データベース１４０に投稿された楽曲データの保存期間は、基本的には投稿日から一定期間であり、例えば２年間とされる。好適には、保存期間の満了した楽曲データは、前記投稿楽曲データベース１４０から削除される。或いは、保存期間の満了した楽曲データは、前記投稿楽曲データベース１４０に記憶されたまま、前記通信回線２０等を介しての公開（閲覧）が停止されるものであってもよい。前記投稿楽曲データベース１４０に投稿された楽曲データの保存期間は、好適には、所定の条件で延長され得る。例えば、各利用者に対応して前記ＳＮＳデータベース１３８に蓄積された所定のポイントの消費を条件として、前記投稿楽曲データベース１４０に投稿された楽曲データの保存期間が延長される。
【００４８】
前記投稿楽曲データベース１４０には、投稿された各楽曲データに対応して、その楽曲データに係る前記所定条件に関する情報が記憶されている。すなわち、各楽曲データに対して消費されたポイントや電子通貨等の課金情報が記憶されている。前記投稿楽曲データベース１４０に蓄積された楽曲データのうち、課金情報に係る所定条件が満たされた楽曲データは、前記カラオケ装置１６においてカラオケ演奏可能な楽曲（配信曲）として、前記配信楽曲データベース１４２に記憶される。例えば、前記所定条件として、５０００円以上といった所定金額以上に相当するポイントが消費されたり、斯かる金額以上の加算（チャージ）がされているＩＣカード等よって電子決済が受け付けられた楽曲データは、前記配信楽曲データベース１４２に記憶される。
【００４９】
前記所定条件は、ポイント、電子通貨、及びクレジット決済等の組み合わせによって、所定金額以上が消費されたか否かを判断するものであってもよい。例えば、１ポイントを１円、１電子通貨を１円とし、クレジット決済された金額と組み合わせ、所定条件を満たす楽曲データすなわち５０００円以上といった所定金額以上が消費された楽曲データは、前記カラオケ装置１６においてカラオケ演奏可能な楽曲（配信曲）として、前記配信楽曲データベース１４２に記憶される。
【００５０】
本実施例において、前記投稿楽曲データベース１４０に記憶（蓄積）された各楽曲データに対して、例えば前記サーバ装置１８ｂ等によりポイントの消費が受け付けられた場合、そのポイントが各楽曲データに対応して前記配信楽曲データベース１４２に記憶される。すなわち、各楽曲データに対応して消費されたポイントとして加算される。この各楽曲データに対応して消費されたポイントは、前記ＳＮＳデータベース１３８等の他のデータベースに記憶されるものであってもよい。
【００５１】
前記投稿楽曲データベース１４０には、投稿された各楽曲データに対応して、その楽曲データに対してポイントを消費した利用者の識別情報（ユーザＩＤ）が記憶されている。すなわち、各楽曲データをカラオケ演奏可能とするために各利用者が消費したポイントのログが記憶されている。好適には、各楽曲データに対応して、その楽曲データに対して各利用者が消費したポイントの累計（各利用者毎の累計消費ポイント）が記憶されている。この各楽曲データをカラオケ演奏可能とするために各利用者が消費したポイントのログ（投稿楽曲等）は、前記ＳＮＳデータベース１３８等の他のデータベースに記憶されるものであってもよい。
【００５２】
前記サーバ装置１８ｂのＣＰＵ１２０は、前記投稿楽曲データベース１４０を主体とする楽曲投稿システムに関する情報管理制御を行う。具体的には、前記ＰＣ３０等から楽曲データの投稿（アップロード）を受け付けて前記投稿楽曲データベース１４０に蓄積（記憶）したり、前記投稿楽曲データベース１４０に蓄積された楽曲データのうち保存期間が満了した楽曲データを削除したり、前記投稿楽曲データベース１４０に記憶された内容に対応するウェブサイトを、前記ＰＣ３０や携帯電話機３２等の情報通信端末により閲覧可能に公開したり、前記ＰＣ３０や携帯電話機３２等の入力操作を介して前記投稿楽曲データベース１４０に蓄積された各楽曲データに対する前記ポイントの消費を受け付けたり、前記投稿楽曲データベース１４０に蓄積された楽曲データのうち所定値以上のポイントの消費が受け付けられた楽曲データを前記サーバ装置１８ｃへ送信したりというように、前記楽曲投稿システムに関する統括的な管理制御を行う。
【００５３】
図６に示すように、前記サーバ装置１８ｃは、配信楽曲データベース１４２を備えている。この配信楽曲データベース１４２は、前記システム１０の利用者から投稿された楽曲データのうち、前記カラオケ装置１６に対してカラオケ演奏可能に配信される楽曲データを蓄積する。具体的には、前記投稿楽曲データベース１４０に蓄積された楽曲データのうち所定値以上のポイントの消費が受け付けられ、前記サーバ装置１８ｂから前記通信回線２０を介して前記サーバ装置１８ｃに送信された楽曲データが、前記カラオケ装置１６に対してカラオケ演奏可能に配信される楽曲データとして前記配信楽曲データベース１４２に記憶される。好適には、前記配信楽曲データベース１４２には、配信可能とされた各楽曲データに対応して、投稿主体である利用者（例えば、ユーザＩＤ）、曲名、投稿日（年月日）、ジャンル、歌手名、作曲者名、及び簡単な説明等が、各楽曲データに固有の配信曲選曲番号をインデックスとして記憶されている。
【００５４】
本実施例においては、前記配信楽曲データベース１４２に記憶された楽曲データには、各楽曲データ毎に配信期間が予め定められている。例えば、前記配信楽曲データベース１４２に投稿された楽曲データの、前記カラオケ装置１６に対する配信期間は、基本的には登録日（配信楽曲データベース１４２に記憶され、カラオケ装置１６に対する配信が開始された日）から一定期間であり、例えば６ヶ月間とされる。好適には、配信期間の満了した楽曲データは、前記配信楽曲データベース１４２から削除される。或いは、配信期間の満了した楽曲データは、前記配信楽曲データベース１４２に記憶されたまま、前記カラオケ装置１６に対する配信が停止されるものであってもよい。前記配信楽曲データベース１４２に記憶された楽曲データの配信期間は、好適には、所定の条件で延長され得る。例えば、各利用者に対応して前記ＳＮＳデータベース１３８に蓄積された所定のポイントの消費を条件として、前記配信楽曲データベース１４２に記憶された楽曲データの配信期間が延長される。
【００５５】
前記サーバ装置１８ｃのＣＰＵ１２０は、前記配信楽曲データベース１４２を主体とする楽曲配信システムに関する情報管理制御を行う。具体的には、前記投稿楽曲データベース１４０に蓄積された楽曲データのうち所定値以上のポイントの消費が受け付けられた楽曲データの送信を前記サーバ装置１８ｂから受け付けて前記配信楽曲データベース１４２に蓄積（記憶）したり、前記配信楽曲データベース１４２に蓄積された楽曲データのうち配信期間が満了した楽曲データを削除したり、前記カラオケ装置１６からの配信要求に応じて、前記配信楽曲データベース１４２に記憶された楽曲データを、要求元である前記カラオケ装置１６へ配信したりというように、前記楽曲配信システムに関する統括的な管理制御を行う。
【００５６】
図７に示すように、前記サーバ装置１８ｄは、ナビデータベース１４４を備えている。このナビデータベース１４４は、前記投稿楽曲データベース１４０に蓄積された楽曲データのうち、前記カラオケ装置１６に対してカラオケ演奏可能に配信される楽曲データに対応するナビ画面を生成するための情報を記憶する。前記サーバ装置１８ｄは、前記電子早見本装置２８等からナビ画面の配信要求があった場合、前記ナビデータベース１４４に記憶された情報から、前記カラオケ装置１６に対してカラオケ演奏可能に配信される楽曲データに対応するナビ画面を生成し、要求元である前記電子早見本装置２８等へ送信する。このナビ画面は、前記電子早見本装置２８等により、前記投稿楽曲データベース１４０に蓄積された楽曲データのうち、前記カラオケ装置１６に対してカラオケ演奏可能に配信される楽曲データを、前記カラオケ装置１６に対して選曲入力するための画面である。斯かる制御を行うために、前記投稿楽曲データベース１４０に蓄積された楽曲データのうち、前記カラオケ装置１６に対してカラオケ演奏可能に配信される楽曲データに関する情報が、前記サーバ装置１８ｂから前記サーバ装置１８ｄへ送信され、前記ナビデータベース１４４に蓄積される。例えば、前記カラオケ装置１６に対してカラオケ演奏可能に配信される楽曲データの配信曲選曲番号、曲名、投稿者情報、ジャンル、歌手名、作曲者名、及び簡単な説明等の情報が前記ナビデータベース１４４に蓄積される。斯かる情報は、前記サーバ装置１８ｃから前記サーバ装置１８ｄへ送信され、前記ナビデータベース１４４に蓄積されるものであってもよい。
【００５７】
図８は、前記システム１０において、利用者から投稿された楽曲データが前記カラオケ装置１６においてカラオケ演奏可能となるまでの各構成の作動について大まかに説明する図である。図８（ａ）に示すように、対象となる楽曲データ（好適には、音楽情報及び映像情報を含むデータ）が、曲名、投稿者情報、ジャンル、歌手名、作曲者名、及び簡単な説明等の情報と共に、前記ＰＣ３０から前記サーバ装置１８ｂへ送信（アップロード）され、前記投稿楽曲データベース１４０に蓄積される。図８（ｂ）に示すように、前記投稿楽曲データベース１４０に蓄積された楽曲データに対して、ポイントの消費が受け付けられる。すなわち、各利用者に対応して前記ＳＮＳデータベース１３８に記憶されたポイントが消費された分、前記投稿楽曲データベース１４０に蓄積された楽曲データに対して消費されたポイントが加算される。前記投稿楽曲データベース１４０に蓄積された楽曲データのうち所定値以上のポイントの消費が受け付けられた楽曲データは、図８（ｃ）に示すように、前記サーバ装置１８ｂから前記サーバ装置１８ｃへ送信され、前記配信楽曲データベース１４２に蓄積される。この時点で、前記配信楽曲データベース１４２に蓄積された楽曲データに配信曲選曲番号が付与される。そして、図８（ｄ）に示すように、前記配信楽曲データベース１４２に蓄積された楽曲データの配信曲選曲番号、曲名、投稿者情報、ジャンル、歌手名、作曲者名、及び簡単な説明等の情報が前記サーバ装置１８ｂから前記サーバ装置１８ｄへ送信され、前記ナビデータベース１４４に記憶される。前記電子早見本装置２８による、利用者の投稿に係る楽曲データの選曲入力おいて、一覧ページから選曲パネルページでページを呼び出す際、図８（ｅ）に示すように、パラメータとして配信曲選曲番号等が渡される。
【００５８】
前記電子早見本装置２８による、利用者の投稿に係る楽曲データの選曲入力おいては、図８（ｆ）に示すように、前記投稿楽曲データベース１４０に蓄積された楽曲データのうち、前記カラオケ装置１６に対してカラオケ演奏可能に配信される楽曲データに対応するナビ画面が、前記電子早見本装置２８から前記サーバ装置１８ｄに対して要求される。この要求に応じて、前記サーバ装置１８ｄにおいて、前記ナビデータベース１４４に記憶された情報から、前記カラオケ装置１６に対してカラオケ演奏可能に配信される楽曲データに対応するナビ画面が生成され、図８（ｇ）に示すように、要求元である前記電子早見本装置２８等へ送信される。このようにして前記サーバ装置１８ｄから前記電子早見本装置２８へ送信されたナビ画面が、その電子早見本装置２８におけるタッチパネルディスプレイ９０（表示装置９２）に表示される。すなわち、前記電子早見本装置２８は、好適には、公知のウェブブラウザ等により、前記サーバ装置１８ｄにより生成された画面を表示させるものであり、自身においてナビ画面の生成を行うものではない。従って、前記電子早見本装置２８において、楽曲データの選曲入力に係るキャッシュは蓄積されない構成とされている。前記電子早見本装置２８に表示されたナビ画面において、利用者の投稿に係る所定の楽曲データの選曲入力操作が行われた場合、図８（ｈ）に示すように、その楽曲データの配信曲選曲番号、曲名、歌手名、作曲者名、及び投稿者情報等が、前記電子早見本装置２８から前記カラオケ装置１６へ送信される。そして、図８（ｉ）に示すように、前記カラオケ装置１６から前記サーバ装置１８ｃに対して、斯かる楽曲データの配信要求が行われ、それに応じて、図８（ｊ）に示すように、前記サーバ装置１８ｃから前記カラオケ装置１６に対して、要求された楽曲データが配信され、前記カラオケ装置１６においてカラオケ演奏可能とされる。
【００５９】
以上のように、本実施例においては、前記サーバ装置１８ａ〜１８ｄが連働して、利用者の投稿に係る楽曲データのカラオケ演奏が実現される態様について説明するが、前記一連の処理が単一のサーバ装置により実現されるものであっても構わない。また、前述のように、前記サーバ装置１８ｂ、１８ｃがひとつのサーバ装置として構成され、前記カラオケ装置１６に対して配信可能となった楽曲データに関して、配信フラグが立てられる等して、前記投稿楽曲データベース１４０に蓄積されたまま、前記カラオケ装置１６に対してカラオケ演奏可能に配信されるものであってもよい。また、各サーバ装置１８の機能が、複数のサーバ装置により分散して実行されるものであってもよい。例えば、前記楽曲データベース１３６を備えて前記カラオケ装置１６に対して楽曲データの配信を行うサーバ装置と、前記ＳＮＳデータベース１３８を備えて前記ＳＮＳに関する情報管理制御を行うサーバ装置とが、別個の装置として備えられたものであってもよい。
【００６０】
図９は、前記システム１０に備えられた制御機能の一例の要部を説明する機能ブロック線図である。この図９に示すＳＮＳ管理制御手段１５０、投稿受付制御手段１５２、楽曲配信管理手段１５４、利用者抽出手段１５６、及び未配信曲通知制御手段１５８は、前記サーバ装置１８のＣＰＵ１２０に機能的に備えられたものである。すなわち、前記サーバ装置１８のＲＯＭ１２２等に記憶されたプログラムが実行されることで、前記ＣＰＵ１２０が前記各制御手段として動作させられるものである。好適には、前記ＳＮＳ管理制御手段１５０が前記サーバ装置１８ａのＣＰＵ１２０に、前記投稿受付制御手段１５２が前記サーバ装置１８ｂのＣＰＵ１２０に、前記楽曲配信管理手段１５４が前記サーバ装置１８ｂ及びサーバ装置１８ｃの少なくとも一方におけるＣＰＵ１２０に、前記利用者抽出手段１５６及び未配信曲通知制御手段１５８が前記サーバ装置１８ａ及びサーバ装置１８ｂの少なくとも一方におけるＣＰＵ１２０に、それぞれ機能的に備えられたものである。前述のように、図９に示す制御機能は、単一のサーバ装置に備えられたものであってもよいし、更に複数（例えば、５台以上）のサーバ装置に分散的に備えられ、それらのサーバ装置が相互に通信を行うことで以下の処理が実現されるものであってもよい。
【００６１】
前記ＳＮＳ管理制御手段１５０は、前記ＳＮＳデータベース１３８を主体とする前記ＳＮＳに関する情報管理制御を行う。例えば、そのＳＮＳに関する情報登録制御を行う。具体的には、前記ＰＣ３０や携帯電話機３２等の情報通信端末による入力操作に応じて、前記ＳＮＳデータベース１３８に新規ユーザ（利用者）の登録を行ったり、前記ＳＮＳデータベース１３８に記憶された登録内容を変更（更新）したり、前記ＳＮＳデータベース１３８に記憶された複数の利用者をフレンドとして相互に関連付けて登録したり、前記ＳＮＳデータベース１３８に記憶された内容を各項目毎に予め設定された公開レベルに応じて前記通信回線２０を介して閲覧可能に公開したりというように、前記ＳＮＳの統括的な管理制御を行う。
【００６２】
前記ＳＮＳ管理制御手段１５０は、好適には、各利用者に対応して前記ＳＮＳデータベース１３８に記憶された情報の閲覧レベルを設定し得るものである。この閲覧レベルは、その利用者に対応して前記ＳＮＳデータベース１３８に記憶された情報の、他の利用者に対する閲覧に関するものであり、例えば、第１レベル「全公開（誰であっても閲覧可能）」、第２レベル「知り合い（フレンドのフレンドまで閲覧可能）」、第３レベル「友達（フレンドは閲覧可能）」、第４レベル「自分のみ（利用者のみ閲覧可能）」というように、段階的に閲覧レベルを設定し得るものである。この閲覧レベルの設定は、好適には、各利用者に対応して前記ＳＮＳデータベース１３８に記憶された名前（本名又はニックネーム）、生年月日、年齢、性別、メールアドレス、血液型、出身地、居住地、出身校（卒業校）、職場、配偶者の有無、家族、言語、宗教、座右の銘、及び後述する各投稿情報等といった項目それぞれについて個別に設定できるものである。
【００６３】
前記ＳＮＳ管理制御手段１５０は、前記ＳＮＳデータベース１３８に記憶（登録）された複数の利用者をフレンドとして相互に対応付けて登録するフレンド登録制御を行う。また、前記ＳＮＳ管理制御手段１５０は、前記ＰＣ３０や携帯電話機３２等の情報通信端末、或いは前記電子早見本装置２８等による入力操作に応じて、各利用者の前記ＳＮＳに係るログイン認証を行う。例えば、前記ＰＣ３０による前記ＳＮＳに係るウェブサイトの閲覧に際して、前記キーボード１００等の入力操作に応じて利用者のログイン認証を行う。すなわち、前記キーボード１００等による入力操作に応じて前記ＳＮＳの利用者を認証し、その認証が正常に行われた場合にはその識別情報をもってその利用者のＳＮＳへのログインを許可する。具体的には、前記キーボード１００等の入力操作によりユーザＩＤ及びパスワードが入力された場合、そのユーザＩＤに対応付けられて前記ＳＮＳデータベース１３８に記憶されたパスワードが入力されたものと一致するか否かを照会し、一致する場合には正常な認証を行う一方、一致しない場合にはエラーとする。前記ＳＮＳ管理制御手段１５０は、前記カラオケ装置１６を用いてのカラオケ演奏に際して、前記と同様の処理により、前記電子早見本装置２８による入力操作に応じて利用者のログイン認証を行う。
【００６４】
前記ＳＮＳ管理制御手段１５０は、前記ＳＮＳデータベース１３８に記憶された情報のうち、正常にログイン認証された利用者に対応する情報を前記ＰＣ３０や携帯電話機３２等の情報通信端末、或いは前記電子早見本装置２８等に閲覧可能に表示させる。すなわち、前記ＳＮＳデータベース１３８に記憶された情報のうち、正常にログイン認証された利用者に対応する情報を、前記ＰＣ３０等に対して閲覧可能に配信する。例えば、正常にログイン認証された利用者自身に対応して前記ＳＮＳデータベース１３８に記憶された情報を、その利用者の利用に係る前記ＰＣ３０等に対して閲覧可能に配信する。前記ＳＮＳデータベース１３８に記憶された情報のうち、公開レベルが「自分のみ」とされた情報は、正常にログイン認証された利用者本人に対してのみ閲覧可能に表示される。
【００６５】
前記ＳＮＳ管理制御手段１５０は、好適には、前記ＳＮＳデータベース１３８に記憶された情報のうち、正常にログイン認証された利用者に対応する公開範囲に含まれる情報を前記ＰＣ３０や携帯電話機３２等の情報通信端末、或いは前記電子早見本装置２８等に閲覧可能に表示させる。例えば、前記ＳＮＳデータベース１３８に記憶された複数の利用者に対応する情報のうち公開レベルが「全公開」とされた情報を閲覧可能に表示させる。また、前記正常にログイン認証された利用者のフレンドとして登録されている利用者のフレンド（フレンドのフレンド）として登録されている利用者に対応して前記ＳＮＳデータベース１３８に記憶された情報であって、公開レベルが「知り合い」とされた情報を閲覧可能に表示させる。また、前記正常にログイン認証された利用者のフレンドとして登録されている利用者に対応して前記ＳＮＳデータベース１３８に記憶された情報であって、公開レベルが「友達」とされた情報を閲覧可能に表示させる。前記ＳＮＳ管理制御手段１５０は、その他、前記ＳＮＳデータベース１３８に記憶された情報それぞれに対応して定められた公開レベルに応じて、正常にログイン認証された利用者に対応する閲覧の制限（禁止）乃至許可を判定する。
【００６６】
前記ＳＮＳ管理制御手段１５０は、好適には、各利用者に対応して前記ＳＮＳデータベース１３８に記憶されたポイントを管理する。例えば、各利用者が、新規に前記ＳＮＳデータベース１３８における登録を行った（新規に識別情報を獲得した）場合、その利用者に対して所定のポイントを付与する。すなわち、付与されたポイントを、各利用者に対応して前記ＳＮＳデータベース１３８に記憶されたポイントに加算する（以下の説明において同じ）。例えば、各利用者が、前記携帯電話機３２のブラウザ等により、前記ＳＮＳデータベース１３８に記憶された内容に対応するウェブサイトに正常にログインした場合、その利用者に対して所定のポイントを付与する。例えば、各利用者が、自身の友人に前記ＳＮＳを紹介し、その友人が新規に前記ＳＮＳデータベース１３８における登録を行った場合、紹介した前記利用者に対して所定のポイントを付与する。例えば、各利用者が、前記ＳＮＳデータベース１３８に記憶された内容に対応するウェブサイトにおいて買い物（ショッピング）を行った場合、購入額の所定割合に相当するポイントを前記利用者に対して付与する。例えば、各利用者が前記店舗１２に来店し、その店舗１２内に設置されたカラオケ装置１６において前記ＳＮＳに正常にログインした場合、その利用者に対して所定のポイントを付与する。例えば、各利用者が前記カラオケ装置１６により予め定められた楽曲（指定楽曲）を演奏した場合、その利用者に対して所定のポイントを付与する。例えば、所定のキャンペーン企画において定められたテーマに沿った動画情報を各利用者が所定の動画投稿サイトのデータベースに投稿した場合、その利用者に対して所定のポイントを付与する。例えば、前記システム１０に関するアンケート等、各利用者が所定の企画案件に参加した場合、その利用者に対して所定のポイントを付与する。その他、各利用者がクレジットカード等により料金を支払った場合、その料金に応じたポイントをその利用者に付与する。また、電子通貨による支払いや、クレジットカードによる決済等により各利用者が料金を支払った場合においても、その料金に応じた金銭的な価値のあるものが加算（チャージ）される。
【００６７】
前記ＳＮＳ管理制御手段１５０は、各利用者に対応して前記ＳＮＳデータベース１３８に記憶されたポイントの消費を管理する。好適には、各利用者に対応して前記ＳＮＳデータベース１３８に蓄積された前記ポイントの消費を条件として、その利用者に対して前記システム１０に関する各種サービスを提供する。前記ＳＮＳデータベース１３８に蓄積されたポイントの消費とは、その消費されたポイントを、各利用者に対応して前記ＳＮＳデータベース１３８に記憶されたポイントから減算することをいう（以下の説明において同じ）。以下に詳述するサービスの提供と引き替えに消費されたポイントのログ（消費記録）は、好適には、各利用者に対応して前記ＳＮＳデータベース１３８に記憶される。好適には、前記ＳＮＳ管理制御手段１５０は、各利用者に対応して前記ＳＮＳデータベース１３８に記憶された電子通貨、及びクレジット決済の使用を管理し、支払いログ等の情報を、前記ＳＮＳデータベース１３８に記憶させる。
【００６８】
前記ＳＮＳ管理制御手段１５０は、例えば、各利用者に属する所定のポイントの消費を条件として、その利用者が投稿した動画情報を、共演動画（コラボ動画）の組み合わせに係る親として選択可能な親動画情報として設定する。例えば、各利用者に属する所定のポイントの消費を条件として、その利用者が投稿した動画情報の公開期間を延長する。例えば、各利用者に属する所定のポイントの消費を条件として、その利用者が前記カラオケ装置１６において撮影した動画情報を、自身の利用に係る前記携帯電話機３２に対して閲覧可能に配信する。例えば、各利用者に属する所定のポイントの消費を条件として、カラオケサービス提供会社が用意した特定の動画情報（プレミアム動画）を、前記店舗１２に設置されたカラオケ装置１６において試聴可能とする。例えば、各利用者に属する所定のポイントの消費を条件として、その利用者の利用に係る前記携帯電話機３２において所定のゲームコンテンツをプレイ可能とする。例えば、各利用者に属する所定のポイントの消費を条件として、その利用者に対応して前記ＳＮＳデータベース１３８に記憶されたアバタの服等のアイテムを購入可能とする。例えば、各利用者に属する所定のポイントの消費を条件として、前記楽曲データベース１３６に新譜として登録される楽曲候補に対するリクエスト投票を可能とする。例えば、各利用者が、前記ＳＮＳデータベース１３８に記憶された内容に対応するウェブサイトにおいて買い物（ショッピング）を行う際に、その利用者に属する所定のポイントの消費を条件として、商品購入額からの値引きを行う。例えば、各利用者に属する所定のポイントの消費を条件として、前記カラオケ装置１６におけるアフレコ（アニメ等の映像に声を吹き込んで楽しむコンテンツ）等の所定のコンテンツの利用を可能とする。
【００６９】
前記投稿受付制御手段１５２は、利用者からの楽曲データの投稿を受け付ける。具体的には、前記ＰＣ３０等から、前記通信回線２０を介して楽曲データの投稿（アップロード）を受け付け、前記投稿楽曲データベース１４０に蓄積（記憶）する。好適には、前記投稿された各楽曲データに対応して、投稿主体である利用者（例えば、ユーザＩＤ）、曲名、投稿日（年月日）、ジャンル、歌手名、及び簡単な説明等を受け付け、前記投稿楽曲データベース１４０に記憶する。前記投稿受付制御手段１５２は、好適には、前記投稿楽曲データベース１４０に記憶された内容に対応するウェブサイトを、前記ＰＣ３０や携帯電話機３２等の情報通信端末により閲覧可能に公開し、そのウェブサイトにおける所定の操作に応じて、前記ＰＣ３０等からの楽曲データの投稿を受け付ける。また、好適には、前記投稿楽曲データベース１４０に蓄積された楽曲データのうち保存期間が満了した楽曲データを削除する等、前記投稿楽曲データベース１４０に蓄積された楽曲データに係る各種管理制御を行う。
【００７０】
前記楽曲配信管理手段１５４は、前記投稿楽曲データベース１４０に蓄積された楽曲データに関して、前記カラオケ装置１６に対する配信の可否を管理する。このために、前記ＰＣ３０や携帯電話機３２等の入力操作を介して、前記投稿楽曲データベース１４０に蓄積された各楽曲データに対する前記ポイントの消費を受け付ける。すなわち、前記投稿楽曲データベース１４０に蓄積された各楽曲データに対してポイントの消費が受け付けられた場合、そのポイントを、各楽曲データに対応して前記投稿楽曲データベース１４０に記憶された、消費されたポイントとして加算する。併行して、操作主体（消費主体）である利用者に対応して前記ＳＮＳデータベース１３８に記憶されたポイントから、前記消費された分のポイントを減算する。すなわち、本実施例においては、前記楽曲配信管理手段１５４が、利用者から投稿された楽曲データを蓄積する前記投稿楽曲データベース１４０及び各利用者に対応してポイントを蓄積する前記ＳＮＳデータベース１３８との間で通信を行う通信制御手段としても機能する。ここで、前記楽曲配信管理手段１５４により受け付けられるポイントの消費は、例えば１００ポイント単位といったように、予め定められた所定の単位で受け付けられるものであってもよいし、１ポイントから受け付けられるものであってもよい。また、１回の操作で受け付けられるポイントの上限値が定められていてもよい。
【００７１】
前記楽曲配信管理手段１５４は、前記投稿楽曲データベース１４０に蓄積された楽曲データのうち所定値以上のポイントの消費が受け付けられた楽曲データを、前記カラオケ装置１６に対して配信可能とする。この所定値は、好適には、５０００ポイントといった固定値（一定値）であるが、キャンペーン等により変動することも考えられる。前記楽曲配信管理手段１５４は、具体的には、前記投稿楽曲データベース１４０に蓄積された楽曲データのうち所定値以上のポイントの消費が受け付けられた楽曲データを、前記サーバ装置１８ｃに備えられた前記配信楽曲データベース１４２に蓄積する。前述のように、本実施例においては、前記配信楽曲データベース１４２に蓄積された楽曲データが、前記カラオケ装置１６に対してカラオケ演奏可能に配信される楽曲データに対応する。
【００７２】
前記楽曲配信管理手段１５４は、前記投稿楽曲データベース１４０に蓄積された各楽曲データに対する前記ポイントの消費の受け付けに関して、その楽曲データの投稿主体（投稿者）である利用者に対応するポイントの消費のみならず、投稿主体ではない他の利用者に対応するポイントの消費を受け付ける。図１０は、前記投稿楽曲データベース１４０に蓄積された各楽曲データに対するポイントの消費の受け付けについて説明する図である。図１０におけるアーティストページ１７０は、前記ＰＣ３０や電子早見本装置２８等に表示される、前記投稿楽曲データベース１４０に記憶された内容に対応するウェブサイトを例示している。このアーティストページ１７０において、投稿一覧ボタン１７２に対する選択入力操作が行われると、前記投稿楽曲データベース１４０に蓄積された楽曲データが一覧表示される。ここで、所定値以上のポイントの消費が受け付けられ、既に前記カラオケ装置１６に対する配信が行われている楽曲データには「配信済」であることが示される。また、所定値以上のポイントの消費が受け付けられておらず、前記カラオケ装置１６に対する配信が行われていない楽曲データには「未配信」であることが示される。この「未配信」であることが示された楽曲データに対して、各利用者からのポイントの消費が受け付けられる。例えば、図１０に示すように、投稿主体である利用者自身がポイントを消費するためのポイント消費ボタン１７４と、投稿主体ではない他の利用者がポイントを消費するためのポイント消費ボタン１７６とが表示され、各ボタンに対する選択入力操作に応じて、対象となる楽曲データの投稿主体である利用者によるポイントの消費、或いは投稿主体ではない他の利用者によるポイントの消費が受け付けられる。そして、斯かるポイントの消費の結果として、対象となる楽曲データに対して消費されたポイントが前記所定値以上となった場合、その楽曲データの表示が「配信済」となり、前記カラオケ装置１６に対する配信が可能な状態とされる。
【００７３】
前記未配信曲通知制御手段１５８は、前記ＳＮＳの利用者に対して、前記投稿楽曲データベース１４０に蓄積された楽曲データのうち、前記所定条件を満たさない楽曲データを支援対象として通知する。本実施例において、楽曲データに対する支援とは、その楽曲データをカラオケ配信可能とするためにポイントの消費、電子通貨の消費、クレジット決済等を行うことをいう。前記未配信曲通知制御手段１５８は、例えば、前記所定値以上の前記ポイントの消費が受け付けられていない楽曲データを、前記利用者に対応して前記ＳＮＳデータベース１３８に蓄積された前記ポイントを消費する対象として通知する。すなわち、前記投稿楽曲データベース１４０に蓄積された楽曲データのうち、前記所定値以上の前記ポイントの消費が受け付けられていない楽曲データに対して、前記カラオケ装置１６においてカラオケ演奏可能に配信するためのポイント消費を促す通知を、前記ＳＮＳの利用者に対して送信する。具体的には、以下に詳述する利用者抽出手段１５６により抽出された利用者に対して、前記所定値以上の前記ポイントの消費が受け付けられていない楽曲データを、その利用者に対応して前記ＳＮＳデータベース１３８に蓄積された前記ポイントを消費する対象として通知する。好適には、前記利用者抽出手段１５６により抽出された利用者のメールアドレス（ＳＮＳデータベース１３８に登録されたメールアドレス）に対して、前記所定値以上の前記ポイントの消費が受け付けられていない楽曲データを、その利用者に対応して前記ＳＮＳデータベース１３８に蓄積された前記ポイントを消費する対象として通知する電子メール（Ｅ−ｍａｉｌ）を、前記通信回線２０を介して送信する。
【００７４】
前記利用者抽出手段１５６は、前記ＳＮＳの利用者のうちから、前記未配信曲通知制御手段１５８による通知の対象となる利用者を抽出する。ここで、前記ＳＮＳの利用者とは、例えば、前記ＳＮＳデータベース１３８に登録された利用者すなわちユーザＩＤを有する利用者に相当する。前記利用者抽出手段１５６は、前記投稿楽曲データベース１４０に蓄積された楽曲データのうち、前記所定条件を満たさない楽曲データ、すなわち前記所定条件（例えば、５０００円に相当する所定値）以上の前記ポイント、電子通貨、クレジット決済が受け付けられていない楽曲データ（以下の説明においては、例として所定値以上のポイントが受け付けられていない楽曲データを挙げる）に関して、その楽曲データに関連する楽曲データをお気に入り曲に含む利用者及び選曲履歴に含む利用者の少なくとも一方（対象となる楽曲データに関連する楽曲データをお気に入り曲及び選曲履歴の少なくとも一方に含む利用者）を抽出する。本実施例において、お気に入り曲とは、好適には、前記投稿楽曲データベース１４０に蓄積された楽曲データのうち、各利用者により予め登録されたお気に入り曲に相当するが、前記ＳＮＳデータベース１３８において、各利用者が前記カラオケ装置１６によるカラオケ演奏において十八番曲として登録した演奏曲に相当するものであってもよい（以下の説明において同じ）。以下、前記利用者抽出手段１５６による利用者の抽出制御の具体例について説明する。
【００７５】
前記利用者抽出手段１５６は、好適には、前記投稿楽曲データベース１４０に蓄積された楽曲データのうち、前記所定値以上の前記ポイントの消費が受け付けられていない楽曲データに関して、その楽曲データとジャンルが共通する楽曲データをお気に入り曲に含む利用者及び選曲履歴に含む利用者の少なくとも一方を抽出する。すなわち、前記ＳＮＳデータベース１３８等に記憶された、各利用者に対応して登録されたお気に入り曲及び選曲履歴を参照し、対象となる楽曲データと同一のジャンルの楽曲データをお気に入り曲に含む利用者及び選曲履歴に含む利用者の少なくとも一方を抽出する。例えば、対象となる楽曲データのジャンルが「Ｊ−ｐｏｐ」である場合、同様にジャンルが「Ｊ−ｐｏｐ」である楽曲データをお気に入り曲に含む利用者及び選曲履歴に含む利用者の少なくとも一方を抽出する。また、好適には、対象となる楽曲データが複数のジャンルに属するものである場合、少なくとも１つのジャンルが共通する楽曲データをお気に入り曲に含む利用者及び選曲履歴に含む利用者の少なくとも一方を抽出する。例えば、対象となる楽曲データのジャンルが「Ｊ−ｐｏｐ」及び「懐メロ」である場合、ジャンルが「Ｊ−ｐｏｐ」及び「懐メロ」の少なくとも一方に属する楽曲データをお気に入り曲に含む利用者及び選曲履歴に含む利用者の少なくとも一方を抽出する。或いは、対象となる楽曲データが複数のジャンルに属するものである場合、両方のジャンルに属する楽曲データをお気に入り曲に含む利用者及び選曲履歴に含む利用者の少なくとも一方を抽出するものであってもよい。例えば、前記の例では、ジャンルが「Ｊ−ｐｏｐ」及び「懐メロ」である楽曲データをお気に入り曲に含む利用者及び選曲履歴に含む利用者の少なくとも一方を抽出するものであってもよい。
【００７６】
前記利用者抽出手段１５６は、好適には、前記投稿楽曲データベース１４０に蓄積された楽曲データのうち、前記所定値以上の前記ポイントの消費が受け付けられていない楽曲データに関して、その楽曲データと投稿者が共通する楽曲データをお気に入り曲に含む利用者及び選曲履歴に含む利用者の少なくとも一方を抽出する。すなわち、前記ＳＮＳデータベース１３８等に記憶された、各利用者に対応して登録されたお気に入り曲及び選曲履歴を参照し、対象となる楽曲データと同一の投稿者の楽曲データをお気に入り曲に含む利用者及び選曲履歴に含む利用者の少なくとも一方を抽出する。換言すれば、対象となる楽曲データの投稿者が、過去に投稿した楽曲データをお気に入り曲に含む利用者及び選曲履歴に含む利用者の少なくとも一方を抽出する。例えば、対象となる楽曲データの投稿者が「Ｍｉｄｏｒｉ」である場合、同様に投稿者が「Ｍｉｄｏｒｉ」である楽曲データをお気に入り曲に含む利用者及び選曲履歴に含む利用者の少なくとも一方を抽出する。
【００７７】
前記利用者抽出手段１５６は、好適には、前記投稿楽曲データベース１４０に蓄積された楽曲データのうち、前記所定値以上の前記ポイントの消費が受け付けられていない楽曲データに関して、その楽曲データと歌手名が共通する楽曲データをお気に入り曲に含む利用者及び選曲履歴に含む利用者の少なくとも一方を抽出する。すなわち、前記ＳＮＳデータベース１３８等に記憶された、各利用者に対応して登録されたお気に入り曲及び選曲履歴を参照し、対象となる楽曲データと同一の歌手名の楽曲データをお気に入り曲に含む利用者及び選曲履歴に含む利用者の少なくとも一方を抽出する。例えば、対象となる楽曲データの歌手名が「Ｍｉｄｏｒｉ」である場合、同様に歌手名が「Ｍｉｄｏｒｉ」である楽曲データをお気に入り曲に含む利用者及び選曲履歴に含む利用者の少なくとも一方を抽出する。
【００７８】
前記利用者抽出手段１５６は、好適には、前記投稿楽曲データベース１４０に蓄積された楽曲データのうち、前記所定値以上の前記ポイントの消費が受け付けられていない楽曲データに関して、その楽曲データと作曲者名が共通する楽曲データをお気に入り曲に含む利用者及び選曲履歴に含む利用者の少なくとも一方を抽出する。すなわち、前記ＳＮＳデータベース１３８等に記憶された、各利用者に対応して登録されたお気に入り曲及び選曲履歴を参照し、対象となる楽曲データと同一の作曲者名の楽曲データをお気に入り曲に含む利用者及び選曲履歴に含む利用者の少なくとも一方を抽出する。例えば、対象となる楽曲データの作曲者名が「Ｍｉｄｏｒｉ」である場合、同様に作曲者名が「Ｍｉｄｏｒｉ」である楽曲データをお気に入り曲に含む利用者及び選曲履歴に含む利用者の少なくとも一方を抽出する。
【００７９】
前記利用者抽出手段１５６は、前記対象となる楽曲データに関連する楽曲データをお気に入り曲に含む利用者及び選曲履歴に含む利用者の抽出に関して、ジャンル、投稿者、及び歌手名等に基づく抽出を複合的に組み合わせて、利用者の抽出を行うものであってもよい。例えば、前記投稿楽曲データベース１４０に蓄積された楽曲データのうち、前記所定値以上の前記ポイントの消費が受け付けられていない楽曲データに関して、その楽曲データとジャンル、投稿者、及び歌手名の少なくとも１つが共通する楽曲データをお気に入り曲に含む利用者及び選曲履歴に含む利用者の少なくとも一方を抽出するものであってもよい。或いは、前記の例において、対象となる楽曲データとジャンル、投稿者、及び歌手名の全てが共通する楽曲データをお気に入り曲に含む利用者及び選曲履歴に含む利用者の少なくとも一方を抽出する等の制御を行うものであってもよい。
【００８０】
前記未配信曲通知制御手段１５８は、好適には、前記投稿楽曲データベース１４０に蓄積された楽曲データのうち、前記所定値以上の前記ポイントの消費が受け付けられていない楽曲データであり、且つ、規定の閾値以上の前記ポイントの消費が受け付けられている楽曲データを、前記利用者に対応して前記ＳＮＳデータベース１３８に蓄積された前記ポイントを消費する対象として通知する。前記規定の閾値は、例えば、対象となる楽曲データがカラオケ演奏可能に配信されるまであともう少しである目安に相当する値であり、例えば３０００ポイントである。すなわち、前記未配信曲通知制御手段１５８は、好適には、前記投稿楽曲データベース１４０に蓄積された楽曲データのうち、その楽曲データに対して消費された前記ポイントが前記規定の閾値以上前記所定値未満（例えば、３０００ポイント以上５０００ポイント未満）の楽曲データを、前記利用者に対応して前記ＳＮＳデータベース１３８に蓄積された前記ポイントを消費する対象として通知する。
【００８１】
好適には、前記ＳＮＳデータベース１３８において、各利用者に対応して、その利用者が前記投稿楽曲データベース１４０に記憶された楽曲データに対して消費したポイントの累計の閾値を定めることができる。前記未配信曲通知制御手段１５８は、好適には、消費された前記ポイントが前記規定の閾値以上前記所定値未満である楽曲データに関して、その楽曲データに対して既に消費された前記ポイントの累計が、各利用者に対応して前記ＳＮＳデータベース１３８に記憶された閾値以上であるか否かを判定し、閾値以上であると判定される場合には、対象となる楽曲データを、前記利用者に対応して前記ＳＮＳデータベース１３８に蓄積された前記ポイントを消費する対象として通知する。
【００８２】
前記未配信曲通知制御手段１５８は、好適には、前記投稿楽曲データベース１４０に蓄積された楽曲データのうち、前記所定値以上の前記ポイントの消費が受け付けられていない楽曲データであり、且つ、前記投稿楽曲データベース１４０に蓄積されてから規定の期間が経過している楽曲データを、前記利用者に対応して前記ＳＮＳデータベース１３８に蓄積された前記ポイントを消費する対象として通知する。前記所定の期間は、例えば、対象となる楽曲データの保存期間があともう少しで満了する目安に相当する値であり、例えば１年６ヶ月間である。前記未配信曲通知制御手段１５８は、好適には、前記投稿楽曲データベース１４０に蓄積された各楽曲データに関して、投稿時点から前記規定の期間が経過したタイミングで、その楽曲データを、前記利用者に対応して前記ＳＮＳデータベース１３８に蓄積された前記ポイントを消費する対象として通知する。換言すれば、前記投稿楽曲データベース１４０への投稿時点から前記規定の期間が経過した時点で、各楽曲データに関して前記所定値以上の前記ポイントの消費が受け付けられているか否かを判定し、受け付けられていないと判定される楽曲データを、前記利用者に対応して前記ＳＮＳデータベース１３８に蓄積された前記ポイントを消費する対象として通知する。
【００８３】
前記未配信曲通知制御手段１５８は、好適には、前記利用者抽出手段１５６により抽出された利用者のメールアドレスに対して、前記所定値以上の前記ポイントの消費が受け付けられていない楽曲データに対するポイントの消費を促す電子メールを送信する。前記電子メールは、メール送信先の利用者に対して、前記所定値以上の前記ポイントの消費が受け付けられていない楽曲データを、その利用者に対応して前記ＳＮＳデータベース１３８に蓄積された前記ポイントを消費する対象として通知するテキスト情報を含んでいる。また、対象となる楽曲データに対するポイントの消費を行うためのウェブサイトにジャンプするためのハイパーリンクを含んでおり、そのハイパーリンクに対する選択入力操作が行われた場合、ポイント消費を受け付けるページ等へジャンプさせられる。
【００８４】
図１１は、前記サーバ装置１８ａ或いはサーバ装置１８ｂのＣＰＵ１２０による未配信曲通知制御の一例の要部を説明するフローチャートであり、所定の周期で繰り返し実行されるものである。
【００８５】
先ず、ステップ（以下、ステップを省略する）ＳＡ１において、前記投稿楽曲データベース１４０に蓄積された所定の楽曲データに関して、その楽曲データに対して消費されたポイント（獲得ポイント）が所定値（例えば、５０００ポイント）未満であるか否かが判断される。このＳＡ１の判断が否定される場合には、それをもって本ルーチンが終了させられるが、ＳＡ１の判断が肯定される場合には、ＳＡ２において、前記所定の楽曲データに対して消費されたポイントが規定の閾値（例えば、３０００ポイント）以上であるか否かが判断される。このＳＡ２の判断が否定される場合には、それをもって本ルーチンが終了させられるが、ＳＡ２の判断が肯定される場合には、ＳＡ３において、前記所定の楽曲データが前記投稿楽曲データベース１４０に投稿（記憶）されてから所定期間（例えば、１年６ヶ月間）が経過したか否かが判断される。このＳＡ３の判断が否定される場合には、それをもって本ルーチンが終了させられるが、ＳＡ３の判断が肯定される場合には、ＳＡ４において、前記所定の楽曲データに関連する楽曲データをお気に入り曲に含む利用者及び選曲履歴に含む利用者の少なくとも一方が抽出される。すなわち、前記所定の楽曲データとジャンル、投稿者、歌手名等が共通する楽曲データをお気に入り曲に含む利用者及び選曲履歴に含む利用者の少なくとも一方が抽出される。次に、ＳＡ５において、ＳＡ４にて抽出された利用者に対して、前記所定の楽曲データが、その利用者に対応して前記ＳＮＳデータベース１３８に蓄積された前記ポイントを消費する対象として通知される。例えば、前記所定の楽曲データを、前記利用者に対応して前記ＳＮＳデータベース１３８に蓄積された前記ポイントを消費する対象として通知する電子メールが、その利用者のメールアドレスに対して送信された後、本ルーチンが終了させられる。
【００８６】
図１２は、前記サーバ装置１８ｂのＣＰＵ１２０による投稿楽曲管理制御の一例の要部を説明するフローチャートであり、所定の周期で繰り返し実行されるものである。
【００８７】
先ず、ＳＢ１において、前記ＰＣ３０等から新規に楽曲データの投稿が行われたか否かが判断される。このＳＢ１の判断が否定される場合には、ＳＢ３以下の処理が実行されるが、ＳＢ１の判断が肯定される場合には、ＳＢ２において、前記ＰＣ３０等から新規に投稿された楽曲データが、前記投稿楽曲データベース１４０に蓄積される。次に、ＳＢ３において、前記ＰＣ３０等の入力操作により、前記投稿楽曲データベース１４０に記憶された対象となる楽曲データの獲得ポイントとして所定のポイントを加算する指令が受信されたか否かが判断される。このＳＢ３の判断が否定される場合には、ＳＢ７以下の処理が実行されるが、ＳＢ３の判断が肯定される場合には、ＳＢ４において、前記投稿楽曲データベース１４０に記憶された対象となる楽曲データの獲得ポイントすなわちその楽曲データに対して消費されたポイントとして、前記所定のポイントが加算される。次に、ＳＢ５において、ＳＢ４におけるポイントの加算により、対象となる楽曲データの獲得ポイントが規定値を超えたか否か、すなわち所定値以上の前記ポイントの消費が受け付けられたか否かが判断される。このＳＢ５の判断が否定される場合には、ＳＢ７以下の処理が実行されるが、ＳＢ５の判断が肯定される場合には、ＳＢ６において、対象となる楽曲データすなわち獲得ポイントが規定値を超えたと判断された楽曲データが、前記サーバ装置１８ｃ（配信楽曲サーバ）へ送信される。次に、ＳＢ７において、前記投稿楽曲データベース１４０に記憶された楽曲データのうち、保存期限に達した（保存期間が満了した）楽曲データがあるか否かが判断される。このＳＢ７の判断が否定される場合には、それをもって本ルーチンが終了させられるが、ＳＢ７の判断が肯定される場合には、ＳＢ８において、保存期限に達した楽曲データが、前記投稿楽曲データベース１４０から削除された後、本ルーチンが終了させられる。
【００８８】
図１３は、前記サーバ装置１８ｃのＣＰＵ１２０による配信楽曲管理制御の一例の要部を説明するフローチャートであり、所定の周期で繰り返し実行されるものである。
【００８９】
先ず、ＳＣ１において、前記サーバ装置１８ｂ等から、獲得ポイントが規定値を超えたと判断されてカラオケ配信可能となった楽曲データ（配信楽曲）が受信されたか否かが判断される。このＳＣ１の判断が否定される場合には、ＳＣ３以下の処理が実行されるが、ＳＣ１の判断が肯定される場合には、ＳＣ２において、受信された楽曲データが、カラオケ配信可能な楽曲データとして前記配信楽曲データベース１４２に蓄積される。次に、ＳＣ３において、前記カラオケ装置１６から、前記配信楽曲データベース１４２に記憶された所定の楽曲データの配信要求が受信されたか否かが判断される。このＳＣ３の判断が否定される場合には、ＳＣ５以下の処理が実行されるが、ＳＣ３の判断が肯定される場合には、ＳＣ４において、要求された楽曲データが前記配信楽曲データベース１４２から読み出され、要求元である前記カラオケ装置１６に対して配信された後、ＳＣ５において、前記配信楽曲データベース１４２に記憶された楽曲データのうち、配信期限に達した（配信期間が満了した）楽曲データがあるか否かが判断される。このＳＣ５の判断が否定される場合には、それをもって本ルーチンが終了させられるが、ＳＣ５の判断が肯定される場合には、ＳＣ６において、配信期限に達した楽曲データが、前記配信楽曲データベース１４２から削除された後、本ルーチンが終了させられる。
【００９０】
以上の制御において、ＳＢ１、ＳＢ２、ＳＢ７、及びＳＢ８が前記投稿受付制御手段１５２の動作に、ＳＣ１〜ＳＣ６が前記楽曲配信管理手段１５４の動作に、ＳＡ４が前記利用者抽出手段１５６の動作に、ＳＡ１〜ＳＡ３、及びＳＡ５が前記未配信曲通知制御手段１５８の動作に、それぞれ対応する。
【００９１】
このように、本実施例によれば、利用者から投稿された楽曲データを蓄積する投稿楽曲データベース１４０と、各利用者に対応してポイントを蓄積するポイントデータベースとしてのＳＮＳデータベース１３８と、各利用者に対応してお気に入り曲及び選曲履歴の少なくとも一方を記憶する利用者データベースとしてのＳＮＳデータベース１３８と、前記投稿楽曲データベース１４０に蓄積された楽曲データのうち、所定値以上の前記ポイントの消費が受け付けられた楽曲データを、前記カラオケ装置１６に対してカラオケ演奏可能に配信する楽曲配信管理手段１５４（ＳＣ１〜ＳＣ６）と、前記投稿楽曲データベース１４０に蓄積された楽曲データのうち、前記所定値以上の前記ポイントの消費が受け付けられていない楽曲データに関して、その楽曲データに関連する楽曲データをお気に入り曲に含む利用者及び選曲履歴に含む利用者の少なくとも一方を抽出する利用者抽出手段１５６（ＳＡ４）と、その利用者抽出手段１５６により抽出された利用者に対して、前記所定値以上の前記ポイントの消費が受け付けられていない楽曲データを、その利用者に対応して前記ＳＮＳデータベース１３８に蓄積された前記ポイントを消費する対象として通知する未配信曲通知制御手段１５８（ＳＡ１〜ＳＡ３、及びＳＡ５）とを、備えたものであることから、各利用者がお気に入り曲や選曲履歴に含む楽曲データに関連し、その利用者が関心を持つ可能性が高い楽曲データを、ポイント消費の対象として斯かる利用者に通知できる。すなわち、円滑で実用的な楽曲投稿サービスを実現するシステム１０を提供することができる。
【００９２】
前記利用者抽出手段１５６は、前記投稿楽曲データベース１４０に蓄積された楽曲データのうち、前記所定値以上の前記ポイントの消費が受け付けられていない楽曲データに関して、その楽曲データとジャンルが共通する楽曲データをお気に入り曲に含む利用者及び選曲履歴に含む利用者の少なくとも一方を抽出するものであるため、各利用者がお気に入り曲や選曲履歴に含む楽曲データとジャンルが共通し、その利用者が関心を持つ可能性が高い楽曲データを、ポイント消費の対象として斯かる利用者に通知できる。
【００９３】
前記利用者抽出手段１５６は、前記投稿楽曲データベース１４０に蓄積された楽曲データのうち、前記所定値以上の前記ポイントの消費が受け付けられていない楽曲データに関して、その楽曲データと投稿者が共通する楽曲データをお気に入り曲に含む利用者及び選曲履歴に含む利用者の少なくとも一方を抽出するものであるため、各利用者がお気に入り曲や選曲履歴に含む楽曲データと投稿者が共通し、その利用者が関心を持つ可能性が高い楽曲データを、ポイント消費の対象として斯かる利用者に通知できる。
【００９４】
前記利用者抽出手段１５６は、前記投稿楽曲データベース１４０に蓄積された楽曲データのうち、前記所定値以上の前記ポイントの消費が受け付けられていない楽曲データに関して、その楽曲データと歌手名が共通する楽曲データをお気に入り曲に含む利用者及び選曲履歴に含む利用者の少なくとも一方を抽出するものであるため、各利用者がお気に入り曲や選曲履歴に含む楽曲データと歌手名が共通し、その利用者が関心を持つ可能性が高い楽曲データを、ポイント消費の対象として斯かる利用者に通知できる。
【００９５】
前記利用者抽出手段１５６は、前記投稿楽曲データベース１４０に蓄積された楽曲データのうち、前記所定値以上の前記ポイントの消費が受け付けられていない楽曲データに関して、その楽曲データと作曲者名が共通する楽曲データをお気に入り曲に含む利用者及び選曲履歴に含む利用者の少なくとも一方を抽出するものであるため、各利用者がお気に入り曲や選曲履歴に含む楽曲データと作曲者名が共通し、その利用者が関心を持つ可能性が高い楽曲データを、ポイント消費の対象として斯かる利用者に通知できる。
【００９６】
前記未配信曲通知制御手段１５８は、前記投稿楽曲データベース１４０に蓄積された楽曲データのうち、前記所定値以上の前記ポイントの消費が受け付けられていない楽曲データであり、且つ、規定の閾値以上の前記ポイントの消費が受け付けられている楽曲データを、前記利用者に対応して前記ＳＮＳデータベース１３８に蓄積された前記ポイントを消費する対象として通知するものであるため、例えば各利用者に対応して定められたポイント消費の閾値を考慮し、既に規定の閾値以上のポイントの消費が受け付けられている楽曲データに絞って前記通知を行うことで、更に円滑で実用的な楽曲投稿サービスを実現できる。
【００９７】
前記未配信曲通知制御手段１５８は、前記投稿楽曲データベース１４０に蓄積された楽曲データのうち、前記所定値以上の前記ポイントの消費が受け付けられていない楽曲データであり、且つ、前記投稿楽曲データベース１４０に蓄積されてから規定の期間が経過している楽曲データを、前記利用者に対応して前記ＳＮＳデータベース１３８に蓄積された前記ポイントを消費する対象として通知するものであるため、例えば公開期限が迫っている楽曲データに絞って前記通知を行うことで、更に円滑で実用的な楽曲投稿サービスを実現できる。
【００９８】
また、本実施例によれば、楽曲データに基づいてカラオケ演奏を行う複数のカラオケ装置１６を備えたシステム１０において、前記複数のカラオケ装置１６との間で通信回線を介して情報の通信を行うサーバ装置１８であって、利用者から投稿された楽曲データを蓄積する投稿楽曲データベース１４０、各利用者に対応してポイントを蓄積するポイントデータベースとしてのＳＮＳデータベース１３８、及び各利用者に対応してお気に入り曲及び選曲履歴の少なくとも一方を記憶する利用者データベースとしてのＳＮＳデータベース１３８との間で通信を行う通信制御手段としての楽曲配信管理手段１５４と、前記投稿楽曲データベース１４０に蓄積された楽曲データのうち、所定値以上の前記ポイントの消費が受け付けられた楽曲データを、前記カラオケ装置１６に対してカラオケ演奏可能に配信する楽曲配信管理手段１５４と、前記投稿楽曲データベース１４０に蓄積された楽曲データのうち、前記所定値以上の前記ポイントの消費が受け付けられていない楽曲データに関して、その楽曲データに関連する楽曲データをお気に入り曲に含む利用者及び選曲履歴に含む利用者の少なくとも一方を抽出する利用者抽出手段１５６と、その利用者抽出手段１５６により抽出された利用者に対して、前記所定値以上の前記ポイントの消費が受け付けられていない楽曲データを、その利用者に対応して前記ＳＮＳデータベース１３８に蓄積された前記ポイントを消費する対象として通知する未配信曲通知制御手段１５８とを、備えたことを特徴とするサーバ装置１８であるため、各利用者がお気に入り曲や選曲履歴に含む楽曲データに関連し、その利用者が関心を持つ可能性が高い楽曲データを、ポイント消費の対象として斯かる利用者に通知できる。すなわち、円滑で実用的な楽曲投稿サービスを実現するサーバ装置１８を提供することができる。
【００９９】
また、本実施例によれば、楽曲データに基づいてカラオケ演奏を行う複数のカラオケ装置１６を備えたシステム１０において、前記複数のカラオケ装置１６との間で通信回線２０を介して情報の通信を行うサーバ装置１８のコンピュータとしてのＣＰＵ１２０を、利用者から投稿された楽曲データを蓄積する投稿楽曲データベース１４０、各利用者に対応してポイントを蓄積するポイントデータベースとしてのＳＮＳデータベース１３８、及び各利用者に対応してお気に入り曲及び選曲履歴の少なくとも一方を記憶する利用者データベースとしてのＳＮＳデータベース１３８との間で通信を行う通信制御手段としての楽曲配信管理手段１５４、前記投稿楽曲データベース１４０に蓄積された楽曲データのうち、所定値以上の前記ポイントの消費が受け付けられた楽曲データを、前記カラオケ装置１６に対してカラオケ演奏可能に配信する楽曲配信管理手段１５４、前記投稿楽曲データベース１４０に蓄積された楽曲データのうち、前記所定値以上の前記ポイントの消費が受け付けられていない楽曲データに関して、その楽曲データに関連する楽曲データをお気に入り曲に含む利用者及び選曲履歴に含む利用者の少なくとも一方を抽出する利用者抽出手段１５６、及び、その利用者抽出手段１５６により抽出された利用者に対して、前記所定値以上の前記ポイントの消費が受け付けられていない楽曲データを、その利用者に対応して前記ＳＮＳデータベース１３８に蓄積された前記ポイントを消費する対象として通知する未配信曲通知制御手段１５８として機能させることを特徴とするプログラムであるため、各利用者がお気に入り曲や選曲履歴に含む楽曲データに関連し、その利用者が関心を持つ可能性が高い楽曲データを、ポイント消費の対象として斯かる利用者に通知できる。すなわち、円滑で実用的な楽曲投稿サービスを実現するプログラムを提供することができる。
【０１００】
以上、本発明の好適な実施例を図面に基づいて詳細に説明したが、本発明はこれに限定されるものではなく、更に別の態様においても実施される。
【０１０１】
例えば、前述の実施例において、前記未配信曲通知制御手段１５８は、前記利用者抽出手段１５６により抽出された利用者のメールアドレス（ＳＮＳデータベース１３８に登録されたメールアドレス）に対して、前記所定値以上の前記ポイントの消費が受け付けられていない楽曲データを、その利用者に対応して前記ＳＮＳデータベース１３８に蓄積された前記ポイントを消費する対象として通知する電子メール（Ｅ−ｍａｉｌ）を、前記通信回線２０を介して送信するものであったが、本発明はこれに限定されるものではなく、例えば、前記利用者抽出手段１５６により抽出された利用者が、前記カラオケ装置１６を用いてのカラオケ演奏に際してログイン認証を行う際（例えば、正常にログイン認証が行われた際）に、その利用者に対応して前記ＳＮＳデータベース１３８に蓄積された前記ポイントを消費する対象として通知するものであってもよい。この態様において、前記未配信曲通知制御手段１５８は、好適には、前記ログイン認証に係る操作が行われた前記電子早見本装置２８のタッチパネルディスプレイに、前記所定値以上の前記ポイントの消費が受け付けられていない楽曲データを、前記利用者に対応して前記ＳＮＳデータベース１３８に蓄積された前記ポイントを消費する対象として表示させる。或いは、前記ＰＣ３０においてログイン認証を行う際（例えば、正常にログイン認証が行われた際）に、その利用者に対応して前記ＳＮＳデータベース１３８に蓄積された前記ポイントを消費する対象として通知するものであってもよい。
【０１０２】
また、前述の実施例において、前記未配信曲通知制御手段１５８は、前記投稿楽曲データベース１４０に蓄積された楽曲データのうち、前記所定値以上の前記ポイントの消費が受け付けられていない楽曲データであり、且つ、規定の閾値以上の前記ポイントの消費が受け付けられている楽曲データを、前記利用者に対応して前記ＳＮＳデータベース１３８に蓄積された前記ポイントを消費する対象として通知するものであったが、前記投稿楽曲データベース１４０に蓄積された楽曲データのうち、前記規定の閾値以上の前記ポイントの消費が受け付けられていない楽曲データを、前記利用者に対応して前記ＳＮＳデータベース１３８に蓄積された前記ポイントを消費する対象として通知するものであってもよい。すなわち、その楽曲データに対して消費されたポイント（獲得ポイント）が低い楽曲データから優先的に、その楽曲データを、前記利用者に対応して前記ＳＮＳデータベース１３８に蓄積された前記ポイントを消費する対象として通知するものであってもよい。このようにすれば、よりポイントによる応援が必要な楽曲データを各利用者に通知することができる。
【０１０３】
また、前述の実施例において、前記未配信曲通知制御手段１５８は、前記投稿楽曲データベース１４０に蓄積された楽曲データのうち、前記所定値以上の前記ポイントの消費が受け付けられていない楽曲データであり、且つ、前記投稿楽曲データベース１４０に蓄積されてから規定の期間が経過している楽曲データを、前記利用者に対応して前記ＳＮＳデータベース１３８に蓄積された前記ポイントを消費する対象として通知するものであったが、各楽曲データが、前記投稿楽曲データベース１４０に投稿された時点（直後）において、その楽曲データを、前記利用者に対応して前記ＳＮＳデータベース１３８に蓄積された前記ポイントを消費する対象として通知するものであってもよい。このようにすれば、各利用者が関心を持つ可能性が高い楽曲データを、その利用者に対していちはやく通知することができる。
【０１０４】
また、前述の実施例において、前記投稿受付制御手段１５２は、前記サーバ装置１８ｂに備えられたものであったが、前記投稿受付制御手段１５６の実質的な処理は、前記ＰＣ３０のＣＰＵにより実行されるものであってもよい。例えば、前記ＰＣ３０に所定の楽曲データ投稿アプリケーションソフトウェアが予めインストールされ、そのアプリケーションソフトウェアにより、前記サーバ装置１８ｂに対する楽曲の投稿（アップロード）が実行されるものであってもよい。
【０１０５】
また、前述の実施例においては、図１１に示す制御が前記サーバ装置１８ａ或いはサーバ装置１８ｂにより、図１２に示す制御が前記サーバ装置１８ｂにより、図１３に示す制御が前記サーバ装置１８ｃによりそれぞれ実行される態様について説明したが、図１１〜図１３に示す各処理は、前記サーバ装置１８ａ〜１８ｄの連働により実現されるものであればよく、必ずしも前述の実施例に限定されるものではない。例えば、図１１〜図１３に示す各処理が、単一のサーバ装置により実行されるものであってもよい。或いは、図１１に示す制御が、前記サーバ装置１８ａ、１８ｂにより分散的に実行されるといったように、図１１〜図１３に示す各処理が、前記サーバ装置１８ａ〜１８ｄの何れかにより分散的に実行される態様も考えられる。
【０１０６】
その他、一々例示はしないが、本発明はその趣旨を逸脱しない範囲内において種々の変更が加えられて実施されるものである。
【符号の説明】
【０１０７】
１０：通信カラオケシステム、１６：カラオケ装置、１８：サーバ装置、２０：通信回線、１２０：ＣＰＵ（コンピュータ）、１３８：ＳＮＳデータベース（ポイントデータベース、利用者データベース）、１４０：投稿楽曲データベース、１５４：楽曲配信管理手段（通信制御手段）、１５６：利用者抽出手段、１５８：未配信曲通知制御手段
【図１】
2015069155.tif 000003
【図２】
2015069155.tif 000004
【図３】
2015069155.tif 000005
【図４】
2015069155.tif 000006
【図５】
2015069155.tif 000007
【図６】
2015069155.tif 000008
【図７】
2015069155.tif 000009
【図８】
2015069155.tif 000010
【図９】
2015069155.tif 000011
【図１１】
2015069155.tif 000012
【図１２】
2015069155.tif 000013
【図１３】
2015069155.tif 000014
【図１０】
2015069155.tif 000015